(57)【要約】【課題】無線通信システムにおけるシステム情報の送受信に際してオーバヘッド（時間／周波数リソース）を削減した装置及び方法を提供する。【解決手段】ユーザ装置（ＵＥ）がシステム情報（ＳＩ）を受信する方法は、基地局（ＢＳ）との通信に必須的なＳＩと連関された第１タイプＳＩをＢＳから受信する段階と、第１タイプＳＩに基づいて物理的ランダムアクセスチャンネル（ＰＲＡＣＨ（ｐｈｙｓｉｃａｌ  ｒａｎｄｏｍ  ａｃｃｅｓｓ  ｃｈａｎｎｅｌ））プリアンブルをＢＳへ送信する段階と、ランダムアクセス応答（ＲＡＲ（ｒａｎｄｏｍ  ａｃｃｅｓｓ  ｒｅｓｐｏｎｓｅ））メッセージをＢＳから受信する段階と、ＵＥが要する少なくとも一つのＳＩと連関された第２タイプＳＩをＢＳから受信する段階と、を含む。【選択図】  図１
2019511166.tif 000002
【特許請求の範囲】
【請求項１】
無線通信システムにおいてユーザ装置（ＵＥ）がシステム情報（ＳＩ）を受信する方法であって、
基地局（ＢＳ）から、前記ＢＳとの通信に必須的なＳＩと連関された第１タイプＳＩを受信する段階と、
前記第１タイプＳＩに基づいて物理的ランダムアクセスチャンネル（ＰＲＡＣＨ（ｐｈｙｓｉｃａｌ  ｒａｎｄｏｍ  ａｃｃｅｓｓ  ｃｈａｎｎｅｌ））プリアンブルを前記ＢＳに送信する段階と、
前記ＢＳからランダムアクセス応答（ＲＡＲ（ｒａｎｄｏｍ  ａｃｃｅｓｓ  ｒｅｓｐｏｎｓｅ））メッセージを受信する段階と、
前記ＢＳから、前記ＵＥが要する少なくとも一つのＳＩと連関された第２タイプＳＩを受信する段階と、を含む、ことを特徴とするシステム情報（ＳＩ）を受信する方法。
【請求項２】
前記ＵＥが要する前記少なくとも一つのシステム情報を示すＳＩリクエストメッセージを前記ＢＳに送信する段階を更に含む、ことを特徴とする請求項１に記載のシステム情報（ＳＩ）を受信する方法。
【請求項３】
前記第１タイプＳＩは、前記第２タイプＳＩが周期的にブロードキャスティングされるか、又はオンデマンドに提供されるかを示すインディケータを含む、ことを特徴とする請求項１に記載のシステム情報（ＳＩ）を受信する方法。
【請求項４】
前記インディケータは、前記第２タイプＳＩのＳＩが周期的にブロードキャスティングされるか、又はオンデマンドに提供されるか、を示す単一インディケーションを含むか、或いは、
前記インディケータは、前記第２タイプＳＩの各々のＳＩが周期的にブロードキャスティングされるか、又はオンデマンドに提供されるか、を示す多重のインディケーションを含む、ことを特徴とする請求項３に記載のシステム情報（ＳＩ）を受信する方法。
【請求項５】
前記ＵＥが要する少なくとも一つのＳＩに特有の前記ＰＲＡＣＨプリアンブルを選択する段階を更に含み、前記少なくとも一つのＳＩは前記第２タイプＳＩと連関される、ことを特徴とする請求項１に記載のシステム情報（ＳＩ）を受信する方法。
【請求項６】
前記第１タイプＳＩに示された第３タイプＳＩに特有の前記ＰＲＡＣＨプリアンブルを選択する段階と、
前記ＰＲＡＣＨプリアンブルを送信した後、前記ＢＳから前記第３タイプＳＩを受信する段階と、
前記ＲＡＲメッセージを受信した後、前記第２タイプＳＩと連関されたＳＩリクエストメッセージを前記ＢＳに送信する段階と、を更に含む、ことを特徴とする請求項１に記載のシステム情報（ＳＩ）を受信する方法。
【請求項７】
前記ＲＡＲメッセージは前記第３タイプＳＩ及びアップリンク承認のうちの少なくとも一つを含む、ことを特徴とする請求項６に記載のシステム情報（ＳＩ）を受信する方法。
【請求項８】
前記第２タイプＳＩは、前記ＵＥが要する少なくとも一つのＳＩを示す前記ＳＩリクエストメッセージを送信した後、時間ウィンドウ内に提供される、ことを特徴とする請求項２に記載のシステム情報（ＳＩ）を受信する方法。
【請求項９】
前記時間ウィンドウの長さは前記第１タイプＳＩに含まれる、ことを特徴とする請求項８に記載のシステム情報（ＳＩ）を受信する方法。
【請求項１０】
前記第１タイプＳＩはセルで用いられたＳＩのセットに対応するＳＩ設定ＩＤを含む、ことを特徴とする請求項１に記載のシステム情報（ＳＩ）を受信する方法。
【請求項１１】
前記第１タイプＳＩは同一のＳＩ設定を有するセルのセットに対応するＳＩ領域ＩＤを含む、ことを特徴とする請求項１に記載のシステム情報（ＳＩ）を受信する方法。
【請求項１２】
無線通信システムにおいて基地局（ＢＳ）がシステム情報（ＳＩ）を送信する方法であって、
ユーザ装置（ＵＥ）との通信に必須的なＳＩと連関された第１タイプＳＩを前記ＵＥに送信する段階と、
前記ＵＥから、前記第１タイプＳＩに基づいて物理的ランダムアクセスチャンネル（ＰＲＡＣＨ）プリアンブルを受信する段階と、
ランダムアクセス応答（ＲＡＲ）メッセージを前記ＵＥに送信する段階と、
前記ＵＥが要する少なくとも一つのＳＩと連関された第２タイプＳＩを前記ＵＥに送信する段階と、を含む、ことを特徴とするシステム情報（ＳＩ）を送信する方法。
【請求項１３】
前記ＵＥが要する前記少なくとも一つのＳＩを示すＳＩリクエストメッセージを前記ＵＥから受信する段階を更に含む、ことを特徴とする請求項１２に記載のシステム情報（ＳＩ）を送信する方法。
【請求項１４】
無線通信システムにおいて、システム情報（ＳＩ）を受信するユーザ装置（ＵＥ）であって、
信号を送受信するように構成された送受信機及び少なくとも一つのプロセッサを含み、
前記プロセッサは、
基地局（ＢＳ）から、前記ＢＳとの通信に必須的なＳＩと連関された第１タイプＳＩを受信する段階を制御し、
前記第１タイプＳＩに基づいたＰＲＡＣＨプリアンブルを前記ＢＳに送信する段階を制御し、
前記ＢＳからＲＡＲメッセージを受信する段階を制御し、
前記ＢＳから、前記ＵＥが要する少なくとも一つのＳＩと連関された第２タイプＳＩを受信する段階を制御するように構成される、ことを特徴とするユーザ装置（ＵＥ）。
【請求項１５】
無線通信システムにおいてシステム情報（ＳＩ）を送信する基地局（ＢＳ）であって、
信号を送受信するように構成された送受信機、及び少なくとも一つのプロセッサを含み、前記プロセッサは、
ユーザ装置（ＵＥ）との通信に必須的なＳＩと連関された第１タイプＳＩを前記ＵＥに送信する段階を制御し、
前記ＵＥから、前記第１タイプＳＩに基づいたＰＲＡＣＨプリアンブルを受信する段階を制御し、
ＲＡＲメッセージを前記ＵＥに送信する段階を制御し、
前記ＵＥが要する少なくとも一つのＳＩと連関された第２タイプＳＩを前記ＵＥに送信する段階を制御するように構成される、ことを特徴とする基地局（ＢＳ）。
【発明の詳細な説明】
【技術分野】
【０００１】
本開示は、無線通信システムにおいて、システム情報をシグナリングする装置及び方法に関する。より詳しくは、本開示はシステム情報を送、受信する基地局及びユーザ装置とその各々の方法に関する。
【背景技術】
【０００２】
４世代（４Ｇ）通信システムの配置以後に増加した無線データトラフィックの需要を満たすために、改善された第５世代（５Ｇ）又はプレ（ｐｒｅ）５Ｇ通信システムを開発するための努力が行なわれた。従って、５Ｇ又はプレ５Ｇ通信システムは、「超４Ｇネットワーク（Ｂｅｙｏｎｄ  ４Ｇ  Ｎｅｔｗｏｒｋ）」又は「ポストＬＴＥ（Ｐｏｓｔ  ＬＴＥ（ｌｏｎｇ  ｔｅｒｍ  ｅｖｏｌｕｔｉｏｎ））」とも呼ばれている。５Ｇ通信システムは、ミリ波（ｍｍＷａｖｅ）帯域、例えば、６０ＧＨｚ帯域で具現され、より高いデータ速度を達成すると考えられる。無線波（ｒａｄｉｏｗａｖｅ）の電波損失を減少させ、送信距離を増加させるためには、ビームフォーミング（ｂｅａｍｆｏｒｍｉｎｇ）、大量（ｍａｓｓｉｖｅ）ＭＩＭＯ（ｍｕｌｔｉｐｌｅ−ｉｎｐｕｔ  ｍｕｌｔｉｐｌｅ−ｏｕｔｐｕｔ）、ＦＤ−ＭＩＭＯ（ｆｕｌｌ  ｄｉｍｅｎｓｉｏｎａｌ  ＭＩＭＯ）、アレイアンテナ、アナログビームフォーミング、大規模のアンテナ技術が、５Ｇ通信システムでは議論される。
更に、５Ｇ通信システムでは、先端（ａｄｖａｎｃｅｄ）小型セル、クラウドＲＡＮ（ｒａｄｉｏ  ａｃｃｅｓｓ  ｎｅｔｗｏｒｋ）、超高密度ネットワーク（ｕｌｔｒａ−ｄｅｎｓｅ  ｎｅｔｗｏｒｋ）、Ｄ２Ｄ（ｄｅｖｉｃｅ−ｔｏ−ｄｅｖｉｃｅ）通信、無線バックホール（ｂａｃｋｈａｕｌ）、モバイルネットワーク、協力通信、ＣｏＭＰ（ｃｏｏｒｄｉｎａｔｅｄ  ｍｕｌｔｉ−ｐｏｉｎｔ）、受信端の干渉除去などを基づいてシステムネットワークの改善のための開発が進行しつつある。５Ｇシステムにおいて、ＡＣＭ（ａｄｖａｎｃｅｄ  ｃｏｄｉｎｇ  ｍｏｄｕｌａｔｉｏｎ、先端コーディング変調）としては、ＦＱＡＭ（ＦＳＫ（ｆｒｅｑｕｅｎｃｙ  ｓｈｉｆｔ  ｋｅｙ）とＱＡＭ（ｑｕａｄｒａｔｕｒｅ  ａｍｐｌｉｔｕｄｅ  ｍｏｄｕｌａｔｉｏｎ）のハイブリッド変調）及びＳＷＳＣ（ｓｌｉｄｉｎｇ  ｗｉｎｄｏｗ  ｓｕｐｅｒｐｏｓｉｔｉｏｎ  ｃｏｄｉｎｇ）、並びに先端アクセス技術としては、ＦＢＭＣ（ｆｉｌｔｅｒ  ｂａｎｋ  ｍｕｌｔｉ  ｃａｒｒｉｅｒ）、ＮＯＭＡ（ｎｏｎ−ｏｒｔｈｏｇｏｎａｌ  ｍｕｌｔｉｐｌｅ  ａｃｃｅｓｓ）及びＳＣＭＡ（ｓｐａｒｓｅ  ｃｏｄｅ  ｍｕｌｔｉｐｌｅ  ａｃｃｅｓｓ）が開発されてきている。
【０００３】
人間が情報を生成して消費する人間中心の接続ネットワークであるインタネットは、現在の事物（ｔｈｉｎｇｓ）のような分散されたエンティティが人間の介入なしに情報を交換して処理するＩｏＴ（Ｉｎｔｅｒｎｅｔ  ｏｆ  Ｔｈｉｎｇｓ、（事）物のインタネット）へ進化している。クラウドサーバとの接続を介してＩｏＴ技術とビッグデータ（Ｂｉｇ  Ｄａｔａ）処理技術の組み合わせであるＩｏＥ（Ｉｎｔｅｒｎｅｔ  ｏｆ  ｅｖｅｒｙｔｈｉｎｇ）が登場した。“センシング技術”、“有線・無線通信及びネットワークインフラ構造”、“サービス・インタフェース技術”及び“セキュリティ技術”などの技術要素がＩｏＴ具現のために要求されるのに伴い、センサネットワーク、Ｍ２Ｍ（ｍａｃｈｉｎｅ−ｔｏ−ｍａｃｈｉｎｅ）通信、ＭＴＣ（ｍａｃｈｉｎｅ  ｔｙｐｅ  ｃｏｍｍｕｎｉｃａｔｉｏｎ）などが、最近に研究されてきた。このようなＩｏＴ環境は互いに連結された事物の間に生成されたデータを収集して分析することによって、人間の生活に新たな価値を創出する知能型インタネット技術サービスを提供できる。ＩｏＴは、既存の情報技術（ｉｎｆｏｒｍａｔｉｏｎ  ｔｅｃｈｎｏｌｏｇｙ；  ＩＴ）と、様々な産業用アプリケーションとの間の融合（ｃｏｎｖｅｒｇｅｎｃｅ）及び組み合わせを介して、スマートホーム、スマートビル、スマートシティ、スマートカー又はコネクテッドカー（ｃｏｎｎｅｃｔｅｄ  ｃａｒ）、スマートグリッド、ヘルスケア、スマート家電及び先端医療サービスを含む様々な分野に適用される。
【０００４】
これにより、５Ｇ通信システムをＩｏＴネットワークに適用するための様々な試みが行われた。例えば、センサネットワーク、ＭＴＣ及びＭ２Ｍ通信などの技術は、ビームフォーミング、ＭＩＭＯ及びアレイアンテナにより具現される。上述したビッグデータ処理技術として、クラウドＲＡＮの適用は、更に５Ｇ技術とＩｏＴ技術との間の融合の一例として見なされる。
【０００５】
近年、増加する広帯域加入者を満たすために、より良いアプリケーションとサービスを提供するために、いくつかの広帯域無線技術が開発された。第２世代の無線通信システムは、ユーザの移動性を確保しながら、音声サービスを提供するために開発された。第３世代無線通信システムは、音声サービスだけでなく、データサービスをサポートする。
【０００６】
近年、第４世代無線通信システムは、高速データサービスを提供するために開発された。しかし、現在、第４世代無線通信システムは、高速データサービスに対して増加する需要を満たすためのリソースの不足に苦しんでいる。従って、第５世代の無線通信システムは、高速データサービスに対して増加する需要を満たし、超安定且つ短待機時間（ｌａｔｅｎｃｙ）のアプリケーションをサポートし、大量のマシンタイプの通信をサポートするために開発されている。
【０００７】
第４世代の無線通信システムにおいて、セル内のｅＮＢ（ｅｎｈａｎｃｅｄ  ｎｏｄｅ  Ｂ、増強ノードＢ）又は基地局（ｂａｓｅ  ｓｔａｔｉｏｎ、ＢＳ）は、システム情報をブロードキャスティングする。システム情報は、一つのマスタ情報ブロック（ｍａｓｔｅｒ  ｉｎｆｏｒｍａｔｉｏｎ  ｂｌｏｃｋ、ＭＩＢ）と複数のシステム情報ブロック（ｓｙｓｔｅｍ  ｉｎｆｏｒｍａｔｉｏｎ  ｂｌｏｃｋ、ＳＩＢ）の集合から構成される。ＭＩＢは、ＳＦＮ（ｓｙｓｔｅｍ  ｆｒａｍｅ  ｎｕｍｂｅｒ）、ダウンリンクシステム帯域幅、及びＰＨＩＣＨ（ｐｈｙｓｉｃａｌ  ｈｙｂｒｉｄ  ＡＲＱ（ａｕｔｏｍａｔｉｃ  ｒｅｐｅａｔ  ｒｅｑｕｅｓｔ、自動反復要求）ｆｅｅｄｂａｃｋ  ｉｎｄｉｃａｔｏｒ  ｃｈａｎｎｅｌ、物理的ハイブリッドＡＲＱフィードバックインディケータチャネル）の設定から構成される。ＭＩＢは４０ｍｓごとに送信される。これはＳＦＮ＿ｍｏｄ＿４が０のとき、第１の送信がサブフレーム＃０で発生する１０ｍｓごとに繰り返される。  ＭＩＢは、物理的なブロードキャストチャネルを介し送信される。ＳＩＢタイプＳＩＢ１は、セルインデムニティ（ｃｅｌｌ  ｉｎｄｅｍｎｉｔｙ）、トラッキング領域コード、セル制限情報（ｃｅｌｌ  ｂａｒｒｉｎｇ  ｉｎｆｏｒｍａｔｉｏｎ）、値（ｖａｌｕｅ）タグ（全てのスケジューリングユニットに共通である）、及び、他のＳＩＢのスケジューリング情報を搬送する。  ＳＦＮ＿ｍｏｄ＿８が０のときのＳＩＢ１は、サブフレーム＃５で８０ｍｓごとに送信される。ＳＩＢ１はＳＦＮ＿ｍｏｄ＿２が０のときにサブフレーム＃５で繰り返される。ＳＩＢ１は、物理的ダウンリンク共有チャネルを介して送信される。他のＳＩＢタイプ（ＳＩＢ２〜ＳＩＢ１９）は、このようなＳＩＢのスケジューリング情報がＳＩＢ１に示されるシステム情報（ＳＩ）メッセージに載せて送信される。同一の周期性を有するＳＩＢは、一つのＳＩメッセージで送信できる。ＳＩメッセージは、物理ダウンリンク共有チャネルを介してブロードキャスティングされる。様々なＳＩＢタイプ、その使用法及び通常のサイズは、以下の表１に表される。
【０００８】
【表１】
2019511166.tif 000003
【０００９】
ユーザーデバイス（ＵＥ）は、セルの選択、セル再選択、ハンドオーバ完了後、他のＲＡＴ（ｒａｄｉｏ  ａｃｃｅｓｓ  ｔｅｃｈｎｏｌｏｇｙ）からＥ−ＵＴＲＡ（ｅｖｏｌｖｅｄ  ＵＭＴＳ  ｔｅｒｒｅｓｔｒｉａｌ  ｒａｄｉｏ  ａｃｃｅｓｓ）に進入した後、サービス領域再進入時、通知（ページング）受信時、及び最大有効期間（３時間）の超過時にシステム情報を獲得する。
【００１０】
ＲＲＣ（ｒａｄｉｏ  ｒｅｓｏｕｒｃｅ  ｃｏｎｔｒｏｌ）アイドル状態で、ＵＥは、ＭＩＢ、ＳＩＢ１、ＳＩＢ２〜ＳＩＢ５、ＳＩＢ６〜ＳＩＢ８（サポートされたＲＡＴによる）、ＳＩＢ１７（ＬＴＥ−ＷＬＡＮ（ｗｉｒｅｌｅｓｓ  ｌｏｃａｌ  ａｒｅａ  ｎｅｔｗｏｒｋ）ＩＷＫ（ｉｎｔｅｒｗｏｒｋｉｎｇ）がサポートされる場合）、及びＳＩＢ１８〜ＳＩＢ１９（Ｄ２Ｄがサポートされる場合）を獲得する必要がある。  ＲＲＣ接続状態で、ＵＥは、ＭＩＢ、ＳＩＢ１、ＳＩＢ２、ＳＩＢ８（サポートされたＲＡＴによる）、ＳＩＢ１７（ＬＴＥ−ＷＬＡＮＩＷＫがサポートされる場合）、及びＳＩＢ１８〜ＳＩＢ１９（Ｄ２Ｄがサポートされる場合、）を獲得する必要がある。受信されたＳＩＢ１の値タグが記憶されたＳＩの値タグと異なる場合には、獲得されて記憶されたシステム情報が無効とみなされる。
【００１１】
システム情報は、以下のように変更され通知される：幾つかのＳＩが次の修正期間に変更されることをＵＥに通知する「ｃａｕｓｅ  ｓｙｓｔｅｍ−ＩｎｆｏＭｏｄｉｆｉｃａｔｉｏｎ」を用いて（ＲＲＣ＿ＩＤＬＥ、又はＲＲＣ＿ＣＯＮＮＥＣＴＥＤにおける）ページングメッセージを介して変更が通知される。修正期間境界はＳＦＮ  ｍｏｄ  ｍｏｄｉｆｉｃａｔｉｏｎＰｅｒｉｏｄ＝０であるようＳＦＮを考慮する。ＳＩの変更は特定の無線フレームで発生する。修正期間Ｎにおける変更の通知は、修正期間Ｎ＋１に反映されるだろう。ＳＩＢ１もまた、ＳＩの変更を示す値タグを搬送する。  ＵＥは、ｅｎｄ  ｍｏｄ  ｉｆｉｃａｔｉｏｎＰｅｒｉｏｄ（チェックページが失われた場合）、又はｓｙｓｔｅｍｉｎｆｏＭｏｄｉｆｉｃａｔｉｏｎでページングを受信したときにＳＩＢ１の値タグを見てＳＩの変更を見つける。
【００１２】
上述した情報は、本開示の理解を助けるために背景情報として提示される。上述した事項のうちの何れかが本開示に関連して先行技術として適用できるかに関しては、如何なる決定も行われておらず、如何主張もなされない。
【発明の概要】
【発明が解決しようとする課題】
【００１３】
ＭＩＢ（ｍａｓｔｅｒ  ｉｎｆｏｒｍａｔｉｏｎ  ｂｌｏｃｋ）／ＳＩＢ（ｓｙｓｔｅｍ  ｉｎｆｏｒｍａｔｉｏｎ  ｂｌｏｃｋ）を用いてシステム情報を送信する現在方法の問題のうちの一つは、ユーザ装置（ＵＥ）がセル内に存在するか否か、及び／又は、セル内の任意のＵＥがこの情報を要するか否かに関わらず、ＭＩＢ／ＳＩＢが周期的にブロードキャスティングされるということである。小さいセルの配置の場合に、このように全てのＳＩＢを周期的にブロードキャスティングすることは不必要で、リソースの相当な浪費につながり、エネルギー消費を増加させる。
【００１４】
次世代通信システムは１００ＧＨｚまでの搬送波周波数範囲を考慮している。高い周波数で、ビームフォーミングは経路損失を償うのに必須である。一つの送信ビームではセル全体のカバレッジを提供できないので、多数（多重）の送信ビームが必要である。システム情報をブロードキャスティングするため、システム情報は多数のタイムスロットを介して送信（ＴＸ）ビームをスイッチングすることによって多数の送信ビームを用いて送信される必要がある。ビームフォーミングを使用するシステム情報の送信のオーバヘッド（時間／周波数リソース）は、ビームフォーミングを使用しないシステム情報の送信よりＮ倍以上であり、ここで‘Ｎ’は送信ビームの数である。システム情報の送信のために消費したリソース後に残っている送信リソースはダウンリンク（ＤＬ）送信ビームの方向でユーザに対するデータスケジューリングのために使用できる。従って、送信システム情報に対してより多い時間／周波数リソースが消費されると、ユーザデータスケジューリングは制限され、かつ柔軟でなくなる。
【００１５】
付加的に、ＵＥは一つのセルから他のセルに移動する時、システム情報を再獲得しなければならない。これはモバイルＵＥに対する電力消費を増加させる。従って、システム情報をシグナリングする向上した方法が必要である。
【課題を解決するための手段】
【００１６】
本開示の様態は、少なくとも上述した問題点及び／又は短所を解決し、少なくとも後述する利点を提供することである。
従って、本開示の一つの様態は、無線通信システムにおいてＵＥによってシステム情報（ＳＩ）を受信する方法を提供することである。該方法は、基地局（ＢＳ）から、ＢＳとの通信に必須なＳＩと連関された第１タイプＳＩをＵＥが受信する段階と、第１タイプＳＩに基づいて物理的ランダムアクセスチャンネル（ＰＲＡＣＨ（ｐｈｙｓｉｃａｌ  ｒａｎｄｏｍ  ａｃｃｅｓｓ  ｃｈａｎｎｅｌ））プリアンブルをＢＳへＵＥが送信する段階と、ＢＳからランダムアクセス応答（ＲＡＲ（ｒａｎｄｏｍ  ａｃｃｅｓｓ  ｒｅｓｐｏｎｓｅ））メッセージをＵＥが受信する段階と、ＢＳから、ＵＥが要する少なくとも一つのＳＩと連関された第２タイプ（ＳＩ）をＵＥが受信する段階と、を含む。
【００１７】
本開示の様態によれば、無線通信システムにおいて基地局（ＢＳ）がシステム情報（ＳＩ）を送信する方法が提供される。該方法は、ＵＥとの通信に必須的なＳＩと連関された第１タイプＳＩをＢＳがユーザ装置（ＵＥ）に送信する段階と、ＵＥから、第１タイプＳＩに基づいて物理的ランダムアクセスチャンネル（ＰＲＡＣＨ）プリアンブルをＢＳが受信する段階と、ＲＡＲ（ｒａｎｄｏｍ  ａｃｃｅｓｓ  ｒｅｓｐｏｎｓｅ）メッセージをＢＳがＵＥに送信する段階と、ＵＥが要する少なくとも一つのＳＩと連関された第２タイプＳＩをＢＳがＵＥに送信する段階と、を含む。
【００１８】
本開示の様態によれば、無線通信システムにおいてシステム情報（ＳＩ）を受信するユーザ装置（ＵＥ）が提供される。ＵＥは、信号を送受信するように構成された送受信機、及び少なくとも一つのプロセッサを含み、このようなプロセッサは、基地局（ＢＳ）から、ＢＳとの通信に必須的なＳＩと連関された第１タイプＳＩを受信する段階を制御し、第１タイプＳＩに基づいたＰＲＡＣＨプリアンブルをＢＳに送信する段階を制御し、ＢＳからＲＡＲメッセージを受信する段階を制御し、ＢＳから、ＵＥが要する少なくとも一つのＳＩと連関された第２タイプＳＩを受信する段階を制御するように構成される。
【００１９】
本開示の様態によれば、無線通信システムにおいてシステム情報（ＳＩ）を送信する基地局（ＢＳ）が提供される。ＢＳは信号を送受信するように構成された送受信機、及び少なくとも一つのプロセッサを含み、このようなプロセッサは、ＵＥとの通信に必須的なＳＩと連関された第１タイプＳＩをユーザ装置（ＵＥ）に送信する段階を制御し、ＵＥから、第１タイプＳＩに基づいたＰＲＡＣＨプリアンブルを受信する段階を制御し、ＲＡＲメッセージをＵＥに送信する段階を制御し、ＵＥが要する少なくとも一つのＳＩと連関された第２タイプＳＩをＵＥに送信する段階を制御するように構成される。
【発明の効果】
【００２０】
本開示の様態によれば、ユーザ装置（ＵＥ）及び基地局（ＢＳ）は、無線通信システムにおいてシステム情報（ＳＩ）を、ＵＥとＢＳとの通信に必須的なＳＩと連関された第１タイプＳＩと、これに基づく送受信により、ＵＥが要する少なくとも一つのＳＩと連関された第２タイプＳＩを弁別してＢＳから受信するので、オーバヘッド（時間／周波数リソース）を削減して効率的にＳＩをシグナリングできる。
【００２１】
本開示の他の様態、利点、及び顕著な特徴は添付された図面と関連して取られ、本開示の多様な実施形態を開示する次の詳細な説明から通常の技術者には明らかになるであろう。
【図面の簡単な説明】
【００２２】
本開示の特定実施形態の上述した及び他の様態、特徴及び利点は添付された図面と関連して取られた以下の説明からより明らかになるであろう。
【図１】本開示の実施形態によるシステム情報を獲得する方法を示す。
【図２】本開示の実施形態によってシステム情報パラメータをシステム情報ブロック（ＳＩＢ）で分類する方法を示す。
【図３】本開示の実施形態によってシステム情報パラメータをＳＩＢで分類する方法を示す。
【図４】本開示の実施形態によってシステム情報パラメータをシステム情報セットで分類する方法を示す。
【図５】本開示の他の実施形態によってシステム情報パラメータをシステム情報セットで分類する方法を示す。
【図６】本開示の他の実施形態によるシステム情報を獲得する方法を示す。
【図７】本開示の他の実施形態によるシステム情報を獲得する方法を示す。
【図８】本開示の他の実施形態によるシステム情報を獲得する方法を示す。
【図９】本開示の他の実施形態によるシステム情報を獲得する方法を示す。
【図１０】本開示の実施形態によってブロードキャスティングされた必須システム情報で他のシステム情報がブロードキャスティングされるか否かを示す方法を示す。
【図１１】本開示の他の実施形態によるシステム情報を獲得する方法を示す。
【図１２】本開示の他の実施形態によってブロードキャスティングされた必須システム情報で他のシステム情報がブロードキャスティングされるか否かを示す方法を示す。
【図１３】本開示の他の実施形態によるシステム情報を獲得する方法を示す。
【図１４】本開示の他の実施形態によるシステム情報を獲得する方法を示す。
【図１５】本開示の他の実施形態によるシステム情報を獲得する方法を示す。
【図１６】本開示の実施形態によって時間ウィンドウ内にシステム情報を提供する方法を示す。
【図１７】本開示の実施形態による一つ以上の周期内で時間ウィンドウをモニタリングすることによってシステム情報を提供する方法を示す。
【図１８】本開示の実施形態によるシステム情報領域ＩＤを設定する方法を示す。
【図１９】本開示の実施形態によるシステム情報パラメータをインデクシングする方法を示す。
【図２０】本開示の実施形態によってシステム情報設定識別（ＩＤ）を設定する方法を示す。
【００２３】
図面全体にかけて、同一参照番号は同一部分、構成要素及び構造を指称することで理解されるだろう。
【発明を実施するための形態】
【００２４】
添付された図面を参照した以下の説明は請求項及びその均等物により定義されたように本開示の多様な実施形態に対する包括的な理解を助けるために提供される。これは理解を助けるための多様な特定詳細事項を含むが、これは単に例示的事項であると見なされなければならない。従って、通常の技術者は本明細書に説明された多様な実施形態の多様な変更及び修正が本開示の範囲及び思想を逸脱せずに可能であることを認識するであろう。更に、よく知られた機能及び構成に対する説明は明瞭性及び簡潔性のために省略される場合がある。
【００２５】
以下の説明及び請求項で用いられた用語及び単語は書誌的意味で限定されず、発明者により本開示に対する明確で一貫された理解が可能であるようにするために用いられる。従って、本開示の多様な実施形態に関する以下の記述は説明を目的としてのみ提供され、添付された請求項及びその均等物により定義された本開示を制限しないことは当業者には明白でなければならない。
【００２６】
単数形態“ａ”、“ａｎ”及び“ｔｈｅ”は、文脈が明白に異なるように指示しない限り複数の対象を含むということが理解されなければならない。従って、例えば、“一つの構成要素表面”に対する言及はこのような表面の一つ以上に対する言及を含む。
【００２７】
図１は、本開示の実施形態によってシステム情報を獲得する方法を示す。
【００２８】
図１を参照すれば、本開示の実施形態で、ユーザ装置（ＵＥ）は図１に示されたようにシステム情報を獲得する。システム情報（ＳＩ）は２個のカテゴリに分類される。第１カテゴリＳＩ（最小ＳＩ又は必須ＳＩとも称される）は、セル及び／又はＴＲＰ（送信、ラウティング及びパッケージング、ｔｒａｎｓｐｏｒｔ、ｒｏｕｔｉｎｇ、ａｎｄ  ｐａｃｋａｇｉｎｇ）情報によって周期的にブロードキャスティングされる一つ以上のシステム情報を含む。第２カテゴリＳＩ（「その他の」ＳＩとも称される）は、オンデマンド（ｏｎ  ｄｅｍａｎｄ）に提供されるか、又は周期的にブロードキャスティングされる一つ以上のシステム情報を含む。
【００２９】
第１カテゴリＳＩは、セルに対する初期アクセスのために必要な情報、及び第２カテゴリに属するシステム情報を獲得するために必要な情報などの必須システム情報を含む。システム情報の第１カテゴリは、少なくともシステムフレーム数（ＳＦＮ）、ＰＬＭＮ（ｐｕｂｌｉｃｌ  ｌａｎｄ  ｍｏｂｉｌｅ  ｎｅｔｗｏｒｋ）識別情報（ＩＤ）、セルＩＤ、セルキャンピング（ｃｅｌｌ＿ｃａｍｐｉｎｇ）パラメータなどを含む。システム情報の第２カテゴリは、第１カテゴリに含まれないシステム情報を含む。システム情報の第１カテゴリ（最小ＳＩ又は必須ＳＩ）は、セル及び／又はＴＲＰによって周期的にブロードキャスティングされる。
【００３０】
動作Ｓ１１０で、ＵＥはブロードキャスティングされた情報から第１カテゴリ（最小ＳＩ又は必須ＳＩ）を獲得する。ネットワークは、システム情報の第１カテゴリ、即ち、最小ＳＩ又は必須ＳＩを用いて第２カテゴリのシステム情報が周期的にブロードキャスティングされるか、又はオンデマンドに提供されるかをシグナリングする。
【００３１】
例えば、不均質（異種、ｈｅｔｅｒｏｇｅｎｅｏｕｓ）ネットワークがマクロセル及び小さいセルを含む場合に、マクロセルではシステム情報がブロードキャスティングされることを示す一方、小さいセルではシステム情報がブロードキャスティングされないことを示す。
他の例で、オンデマンドに提供されるシステム情報に対する幾つかのリクエストがある場合、ネットワークはシステム情報をオンデマンドに提供する代りにブロードキャスティングし始める。
【００３２】
最小ＳＩ又は必須ＳＩは、第２カテゴリの全てのＳＩが周期的にブロードキャスティングされるか、又はオンデマンドに提供されることを示すインディケーション（ｉｎｄｉｃａｔｉｏｎ）を含む。
代案で、最小ＳＩ又は必須ＳＩは、各々のＳＩ（例えば、システム情報ブロック（ＳＩＢ））又はＳＩセット（即ち、ＳＩＢ）に対する個別の（ｓｅｐａｒａｔｅ）インディケーションを含み、ここで、各々のインディケーションは連関されたＳＩ又はＳＩセットが周期的にブロードキャスティングされるか、又はオンデマンドに提供されるかを示す。
【００３３】
代案で、最小ＳＩ又は必須ＳＩは、各々のＳＩメッセージに対する個別のインディケーションを含み、ここで、各々のＳＩメッセージは一つ以上のＳＩ（即ち、ＳＩＢ）を搬送する。ＳＩメッセージと連関されたインディケーションはＳＩメッセージと連関されたＳＩがブロードキャスティングされるか、又はオンデマンドに提供されるかを示す。ＳＩメッセージのＳＩＢへのマッピングは最小ＳＩ又は必須ＳＩに含まれる。
【００３４】
第２カテゴリのＳＩを獲得するため、ＵＥは先ず該ＳＩが周期的にブロードキャスティングされるか、又はオンデマンドに提供されるかを判断する。ＵＥはこれを第１カテゴリＳＩに含まれたインディケーションに基づいて決定する。
ＵＥが獲得するのを望むＳＩが周期的にブロードキャスティングされるか、又はオンデマンドに提供されないことを第１カテゴリＳＩが示す場合、動作Ｓ１１０で、ＵＥは第１カテゴリＳＩに含まれたスケジューリング情報を用いて周期的ブロードキャストからＳＩを獲得する。
ＵＥが獲得するのを望むＳＩが周期的にブロードキャスティングされないか、又はオンデマンドに提供されることを第１カテゴリＳＩが示す場合、ＵＥはそのＳＩを受信するために基地局（ＢＳ）にリクエストを送る。
【００３５】
オンデマンドに提供された一つ以上のシステム情報を受信するため、動作Ｓ１２０で、ＵＥは、ＰＲＡＣＨ（物理的ランダムアクセスチャネル）プリアンブル（以下、ランダムアクセスプリアンブルとも言う）を送信する。実施形態で、システム情報をリクエストするためのＰＲＡＣＨプリアンブル又はＰＲＡＣＨ機会（即ち、時間／周波数リソース）は他の目的のためにＰＲＡＣＨプリアンブル又はＰＲＡＣＨ機会と相異する。
これはＳＩリクエストのためにランダムアクセス負荷に及ぶ影響を最小化する。システム情報を獲得するためのＰＲＡＣＨプリアンブル又はＰＲＡＣＨ機会（即ち、時間／周波数リソース）は事前定義されるか、又は、第１カテゴリＳＩを介してネットワークによってシグナリングされる。
【００３６】
ランダムアクセスプリアンブルを受信すると、動作Ｓ１３０で、ＢＳはランダムアクセス応答（ＲＡＲ）を送信し、ＲＡＲはＳＩリクエストメッセージを送信するためのアップリンク（ＵＬ）承認を含む。ＲＡＲは更にタイミングアドバンス（ｔｉｍｉｎｇ  ａｄｖａｎｃｅ）及び／又はバックオフインディケータ（ｂａｃｋｏｆｆ  ｉｎｄｉｃａｔｏｒ）及び／又はプリアンブル識別子（ＰＲＡＣＨプリアンブルを識別する）を含む。
【００３７】
ＵＥは、ＲＡＲがＵＥによって送信されたＰＲＡＣＨに対応するということを検証する。検証が成功すれば、動作Ｓ１４０で、ＵＥはＲＡＲによるアップリンク承認（ｇｒａｎｔ）の下にＳＩリクエストメッセージを送信する。
ＳＩリクエストメッセージは、ＵＥが要する一つ以上のシステム情報（例えば、ＳＩＢ）を示すか、ＵＥが要する一つ以上のシステム情報セットを示すか、ＵＥがシステム情報又はＵＥタイプを要するサービス（例えば、ｅＭＢＢ（ｅｎｈａｎｃｅｄ  ｍｏｂｉｌｅ  ｂｒｏａｄｂａｎｄ）、ＭＴＣ（ｍｏｂｉｌｅ  ｔｅｌｅｃｏｍｍｕｎｉｃａｔｉｏｎｓ  ｃｏｍｐａｎｙ）、ＵＲＬＬ（ｕｌｔｒａ−ｒｅｌｉａｂｌｅ  ａｎｄ  ｌｏｗ−ｌａｔｅｎｃｙ）など）を示す。
ＵＥはＳＩリクエストメッセージと共に自分のＵＥ＿ＩＤ（即ち、Ｓ−ＴＭＳＩ（ＳＡＥ−ｔｅｍｐｏｒａｒｙ  ｍｏｂｉｌｅ  ｓｕｂｓｃｒｉｂｅｒ  ｉｄｅｎｔｉｔｙ）、Ｃ−ＲＮＴＩ（ｃｅｌｌ−ｒａｄｉｏ  ｎｅｔｗｏｒｋ  ｔｅｍｐｏｒａｒｙ  ｉｄｅｎｔｉｆｉｅｒ）、ＲＡ−ＲＮＴＩ（ｒａｎｄｏｍ  ａｃｃｅｓｓ−ｒａｄｉｏ  ｎｅｔｗｏｒｋ  ｔｅｍｐｏｒａｒｙ  ｉｄｅｎｔｉｆｉｅｒ）、など）を送信する。
【００３８】
ＳＩリクエストに応答し、動作Ｓ１５０で、ＢＳはＳＩ応答を送信し、ここで、ＳＩ応答はリクエストされたシステム情報を含む。ＳＩ応答はブロードキャスティングされるか、又はユニキャスト方式で提供される。ＳＩ応答を示すスケジューリング制御情報はＵＥ＿ＩＤ（例えば、Ｃ−ＲＮＴＩ、ＲＡ−ＲＮＴＩ）又は事前定義されたＩＤ（例えば、ＳＩ−ＲＮＴＩ（ｓｙｓｔｅｍ  ｉｎｆｏｒｍａｔｉｏｎ−ｒａｄｉｏ  ｎｅｔｗｏｒｋ  ｔｅｍｐｏｒａｒｙ  ｉｄｅｎｔｉｆｉｅｒ））でもって（ｗｉｔｈ）マスキングできる。事前定義されたＩＤは相異するシステム情報又はシステム情報セット又はサービス又はＵＥタイプに対して互いに相異できる。
【００３９】
ＵＥによってリクエストされた一つ以上のＳＩ（即ち、ＳＩＢ）はＳＩリクエストを送信した後、或る一定の時間ウィンドウ（即ち、ＳＩ応答ウィンドウ）内に提供される。ＳＩリクエストを送信した後、ＵＥはリクエストされたＳＩＢを受信するためにＳＩ応答ウィンドウでＮＲ−ＰＤＣＣＨ（ｎｅｗ  ｒａｄｉｏ−ｐｈｙｓｉｃａｌ  ｄｏｗｎｌｉｎｋ  ｃｏｎｔｒｏｌ  ｃｈａｎｎｅｌ）を聞き取る。ＵＥがＳＩ応答ウィンドウ内でリクエストされたＳＩＢを受信しなければ、ＵＥはＳＩリクエストを再送信する。ＳＩ応答ウィンドウの長さは最小ＳＩ又は必須ＳＩ内において提供される。
代案で、ＳＩリクエストを送信した後、リクエストされたＳＩＢを受信するために、ＵＥはそのＳＩＢの一つ以上のＳＩ周期でリクエストされたＳＩＢのＳＩウィンドウをモニタリングする。ＳＩＢタイプ、妥当性情報、周期性、ＳＩウィンドウ情報を含む他のＳＩに対するスケジューリング情報は他のＳＩが周期的にブロードキャスティングされるか、又はオンデマンドに提供されるかに関わらず最小ＳＩにおいて提供される。一実施形態で、ＵＥは先ずＳＩ応答ウィンドウでＳＩ応答をチェックし、受信されないと、リクエストされたＳＩを受信するためにＳＩウィンドウをモニタリングする。
【００４０】
一実施形態で、ｅＮＢ（ｅｖｏｌｖｅｄ  ｎｏｄｅ  Ｂ）は一つ以上のセル及び／又はＴＲＰに対するリクエストされたシステム情報を提供する。ｅＮＢはＳＩ応答で提供されたシステム情報が適用可能なセル及び／又はＴＲＰを示す。結果的に、ＵＥはＵＥがセル及び／又はＴＲＰを変更する時、システム情報に対してリクエストする必要がない。セル及び／又はＴＲＰが変更された後、ＵＥが新しいセル及び／又はＴＲＰに対するシステム情報を有しないと、ＵＥはシステム情報をリクエストする。
【００４１】
本開示の他の実施形態で、ＢＳは必須システム情報（第１カテゴリＳＩ）においてサポートされたＳＩを示す。その後、ＵＥは前述された方法（図１）を用いてオンデマンドに提供されるサポートされたＳＩのうちの１つ以上をリクエストする。実施形態で、ＵＥがセルから獲得するまでＵＥが用いるシステム情報に関するデフォルト設定が定義される。
【００４２】
他の実施形態で、セルはシステム情報の第１カテゴリに属する幾つかのＳＩをブロードキャスティングする。セルのシステム情報の第１カテゴリに属する残りのＳＩは他のセルによってブロードキャスティングされるか、又はオンデマンドに提供される。ＵＥはＳＩをリクエストしているセルに関する情報（例えば、セルＩＤ、周波数、セルインデックスなど）をリクエストに含める。
【００４３】
ＵＥは次のオプション（オプション１〜オプション５）のうちの何れか一つを用いてＳＩリクエストで必要なシステム情報（ＳＩ）を示すことができる。
【００４４】
オプション１：
【００４５】
図２は、本開示の実施形態によってシステム情報パラメータをＳＩＢに分類する方法を示す。
図２を参照すれば、システム情報パラメータはＳＩＢに分類される。ＳＩリクエストにはサイズＮビットのビットマップが含まれ、ここで、各々のビットはＳＩＢに対応する。ＳＩＢに対応するビットはＵＥがそのＳＩＢを要する場合に１にセッティングされるか、又は、ＳＩＢに対応するビットはＵＥがそのＳＩＢを要する場合に０にセッティングされる。代案で、ビットマップの代りに、ＵＥはＳＩリクエスト内にＳＩＢのリストを含む。
【００４６】
オプション２：
【００４７】
図３は、本開示の他の実施形態によってシステム情報パラメータをＳＩＢに分類する方法を示す。
図３を参照すれば、システム情報パラメータはＳＩＢに分類される。その後、ＳＩＢはＳＩＢセット（又はＳＩメッセージ）でグループ化され、ここで、各々のセットは一つ以上のＳＩＢを含む。
【００４８】
ＳＩＢは一つ以上のＳＩＢセットに存在することができる。ＳＩＢセットへのＳＩＢグループ化はサービス（例えば、モバイル広帯域（ＭＢＢ）、ＵＲＬＬ、ＭＴＣ、Ｄ２Ｄ、Ｄ２Ｄディスカバリ、Ｄ２Ｄ通信、Ｖ２Ｘ（ｖｅｈｉｃｌｅ−ｔｏ−ｅｖｅｒｙｔｈｉｎｇ）、Ｖ２Ｖ（ｖｅｈｉｃｌｅ−ｔｏ−ｖｅｈｉｃｌｅ）など）又はＵＥタイプ（ＭＴＣ  ＵＥ、ＭＢＢ  ＵＥ、Ｄ２Ｄ  ＵＥなど）に基づいて行われる。
ＳＩリクエストには、サイズＰビットのビットマップが含まれ、ここで、各々のビットがＳＩＢセットに対応する。ＳＩＢセットに対応するビットはＵＥがそのＳＩＢセットを要する場合に１にセッティングされる。代案で、ビットマップの代りに、ＵＥはＳＩリクエスト内にＳＩＢセットのリストを含む。
【００４９】
オプション３：
【００５０】
図４は、本開示の実施形態によってシステム情報パラメータをシステム情報セットに分類する方法を示す。
図４を参照すれば、システム情報パラメータはシステム情報セットで分類される。システム情報セットへのシステム情報パラメータのグループ化はサービス（例えば、ＭＢＢ、ＵＲＬＬ、ＭＴＣ、Ｄ２Ｄ、Ｄ２Ｄディスカバリ、Ｄ２Ｄ通信、Ｖ２Ｘ、Ｖ２Ｖなど）又はＵＥタイプ（ＭＴＣ  ＵＥ、ＭＢＢ  ＵＥ、Ｄ２Ｄ  ＵＥなど）に基づいて行われる。ＳＩリクエストには、サイズＰビットのビットマップが含まれ、ここで、各々のビットはシステム情報セットに対応する。システム情報セットに対応するビットはＵＥがそのシステム情報セットを要する場合に１にセッティングされる。代案で、ビットマップの代りに、ＵＥはＳＩリクエスト内にＳＩセットのリストを含む。
【００５１】
オプション４：
【００５２】
図５は本開示の他の実施形態によってシステム情報パラメータをシステム情報セットに分類する方法を示す。
図５を参照すれば、一つ以上のシステム情報パラメータとサービスの間には事前定義されたマッピングがある。ＳＩリクエスト内には、サイズＮビットのビットマップが含まれ、ここで、各々のビットはサービスに対応する。サービスに対応するビットはＵＥがこのようなサービスに対するシステム情報を要する場合に１にセッティングされる。代案で、ビットマップの代りに、ＵＥはＳＩリクエスト内に一つ以上のサービスのリストを含むことができ、ここで、各々のサービスはサービスタイプによって識別される。
【００５３】
オプション５：
【００５４】
この方法では、ＵＥはＳＩリクエストにおいてＵＥタイプを示す。ＵＥタイプはＵＥによってサポートされるサービスを示す。一つ以上のシステム情報パラメータとサービスの間には事前定義されたマッピングがある。従って、ＵＥタイプを有するＳＩリクエストを受信すると、ＢＳはＵＥが要するシステム情報パラメータが分かる。
【００５５】
図６は、本開示の他の実施形態によってシステム情報を獲得する方法を示す。
図６を参照すれば、本開示の他の実施形態で、ＵＥは図６に示されたようにシステム情報を獲得する。システム情報は２個のカテゴリに分類される。第１カテゴリＳＩ（最小ＳＩ又は必須ＳＩ）は、セル及び／又はＴＲＰによって周期的にブロードキャスティングされる一つ以上のシステム情報を含む。第２カテゴリＳＩ（「その他の」ＳＩ）は、オンデマンドにＵＥに提供されるか、又は周期的にブロードキャスティングされる一つ以上のシステム情報を含む。
【００５６】
第１カテゴリＳＩはセルに対する初期アクセスのために必要な情報、第２カテゴリに属するシステム情報を獲得するために必要な情報などの必須システム情報を含む。システム情報の第１カテゴリは少なくともＳＦＮ、ＰＬＭＮ  ＩＤのリスト、セルＩＤ、セルキャンピングパラメータなどを含む。システム情報の第２カテゴリは第１カテゴリに含まれないシステム情報を含む。
【００５７】
システム情報の第１カテゴリ（最小ＳＩ又は必須ＳＩ）はセル及び／又はＴＲＰによって周期的にブロードキャスティングされる。動作Ｓ６１０で、ＵＥはブロードキャスティングされた情報からシステム情報の第１カテゴリ（最小ＳＩ又は必須ＳＩ）を獲得する。ネットワークは、システム情報の第１カテゴリ、即ち、最小ＳＩ又は必須ＳＩを用いて第２カテゴリのシステム情報が周期的にブロードキャスティングされるか、又はオンデマンドに提供されるかをシグナリングする。
【００５８】
例えば、不均質（異種）ネットワークがマクロセル及び小さいセルを含む場合に、マクロセルではシステム情報がブロードキャスティングされることを示す一方、小さいセルではシステム情報がブロードキャスティングされないことを示す。他の例で、オンデマンドに提供されるシステム情報に対する幾つかのリクエストがある場合、ネットワークはシステム情報をオンデマンドに提供する代りにブロードキャスティングし始める。
最小ＳＩ又は必須ＳＩは、システム情報の第２カテゴリの全てのＳＩが周期的にブロードキャスティングされるか、又はオンデマンドに提供されることを示すインディケーションを含む。
【００５９】
代案で、最小ＳＩ又は必須ＳＩは、各々のＳＩ（例えば、ＳＩＢ）又はＳＩセット（即ち、ＳＩＢ）に対する個別のインディケーションを含み、ここで、各々のインディケーションは連関されたＳＩ又はＳＩセットが周期的にブロードキャスティングされるか、又はオンデマンドに提供されるかを示す。
【００６０】
代案で、最小ＳＩ又は必須ＳＩは各々のＳＩメッセージに対する個別のインディケーションを含み、ここで、各々のＳＩメッセージは一つ以上のＳＩ（即ち、ＳＩＢ）を搬送する。ＳＩメッセージと連関されたインディケーションはＳＩメッセージと連関されたＳＩがブロードキャスティングされるか、又はオンデマンドに提供されるかを示す。ＳＩメッセージのＳＩＢへのマッピングは最小ＳＩ又は必須ＳＩに含まれる。
第２カテゴリのＳＩを獲得するため、ＵＥは先ず該ＳＩが周期的にブロードキャスティングされるか、又はオンデマンドに提供されるかを判断する。ＵＥはこれを第１カテゴリＳＩ（最小ＳＩ又は必須ＳＩ）に含まれたインディケーションに基づいて決定する。
【００６１】
ＵＥが獲得することを望むＳＩが周期的にブロードキャスティングされるか、又はオンデマンドに提供されないことを第１カテゴリＳＩが示す場合、動作Ｓ６１０で、ＵＥはシステム情報の第１カテゴリに含まれたスケジューリング情報を用いて周期的ブロードキャストからＳＩを獲得する。
ＵＥが獲得することを望むＳＩが周期的にブロードキャスティングされないか、又はオンデマンドに提供されることを第１カテゴリＳＩが示す場合、ＵＥはそのＳＩを受信するためにＢＳにリクエストを送る。
【００６２】
オンデマンドに提供された一つ以上のシステム情報を受信するため、動作Ｓ６２０で、ＵＥは、ランダムアクセスプリアンブル（ＰＲＡＣＨプリアンブル）を送信する。実施形態で、システム情報をリクエストするためのＰＲＡＣＨプリアンブル又はＰＲＡＣＨ機会（即ち、時間／周波数リソース）は他の目的のためにＰＲＡＣＨプリアンブル又はＰＲＡＣＨ機会と相異し得る。これはＳＩリクエストのためランダムアクセスロードに及ぶ影響を最小化できる。システム情報を獲得するためのＰＲＡＣＨプリアンブル又はＰＲＡＣＨ機会（即ち、時間／周波数リソース）は事前定義されるか、又は第１カテゴリＳＩを介してネットワークによってシグナリングされる。
【００６３】
ランダムアクセスプリアンブルを受信すると、動作Ｓ６３０で、ＢＳはＲＡＲを送信し、ＲＡＲはＳＩリクエストメッセージを送信するためのＵＬ承認を含む。ＲＡＲは更にタイミングアドバンス及び／又はバックオフインディケータ及び／又はプリアンブル識別子（ＰＲＡＣＨプリアンブルを識別する）を含む。
【００６４】
ＵＥはＲＡＲがそれにより送信されたＰＲＡＣＨに対応するということを検証する。検証がすれば、動作Ｓ６４０で、ＵＥはＲＡＲによるＵＬ承認の下にＳＩリクエストメッセージを送信する。
ＵＥはあるシステム情報がＵＥによって必要であるかを示さない場合もある。ＵＥがＳＩリクエストを送信する搬送波は一つのサービスをサポートする。ＵＥはシステム情報を要することを示す。ＢＳは搬送波上でサポートされるサービスに対するシステム情報を提供する。搬送波とサービスの間に事前定義されたマッピングがあり得る。
【００６５】
代案で、サポートされたサービスはシステム情報の第１カテゴリ（最小ＳＩ又は必須ＳＩ）に示される。動作Ｓ６５０で、ＳＩ応答はブロードキャスティングされるか、又はユニキャスト方式で提供される。ＳＩ応答を示すスケジューリング制御情報はＵＥ＿ＩＤ（例えば、Ｃ−ＲＮＴＩ、ＲＡ−ＲＮＴＩ）又は事前定義されたＩＤ（例えば、ＳＩ−ＲＮＴＩ）でもってマスキングできる。事前定義されたＩＤは相異するシステム情報又はシステム情報セット又はサービス又はＵＥタイプに対して互いに相異できる。
【００６６】
ＵＥによってリクエストされた一つ以上のＳＩ（即ち、ＳＩＢ）はＳＩリクエストを送信した後、或る一定の時間ウィンドウ（即ち、ＳＩ応答ウィンドウ）内に提供される。ＳＩリクエストを送信した後、ＵＥはリクエストされたＳＩＢを受信するためにＳＩ応答ウィンドウでＮＲ−ＰＤＣＣＨを聞き取る。ＵＥがＳＩ応答ウィンドウ内でリクエストされたＳＩＢを受信しなければ、ＵＥはＳＩリクエストを再送信する。
【００６７】
ＳＩ応答ウィンドウの長さは最小ＳＩ又は必須ＳＩ内において提供される。代案で、ＳＩリクエストを送信した後、リクエストされたＳＩＢを受信するために、ＵＥはそのＳＩＢの一つ以上のＳＩ周期でリクエストされたＳＩＢのＳＩウィンドウをモニタリングする。ＳＩＢタイプ、妥当性情報、周期性、ＳＩウィンドウ情報を含む他のＳＩに対するスケジューリング情報は他のＳＩが周期的にブロードキャスティングされるか、又はオンデマンドに提供されるかに関わらず最小ＳＩにおいて提供される。一実施形態で、ＵＥは先ずＳＩ応答ウィンドウでＳＩ応答をチェックし、受信されないと、リクエストされたＳＩを受信するためにＳＩウィンドウをモニタリングする。
【００６８】
実施形態で、ｅＮＢは一つ以上のセル及び／又はＴＲＰに対するリクエストされたシステム情報を提供する。ｅＮＢはＳＩ応答で提供されたシステム情報が適用可能なセル及び／又はＴＲＰを示す。結果的に、ＵＥはＵＥがセル及び／又はＴＲＰを変更する時にシステム情報に対してリクエストする必要がない。セル及び／又はＴＲＰが変更された後、ＵＥが新しいセル及び／又はＴＲＰに対するシステム情報を有しないと、ＵＥはシステム情報をリクエストする。
【００６９】
本開示の他の実施形態で、ＢＳは必須システム情報（第１カテゴリＳＩ）においてサポートされたＳＩを示す。その後、ＵＥは前述された方法（図６）を用いてサポートされたＳＩのうちの一つ以上をリクエストする。実施形態で、ＵＥがセルから獲得するまでＵＥが用いるシステム情報に対するデフォルト設定が定義される。
【００７０】
他の実施形態で、セルはシステム情報の第１カテゴリに属する幾つかのＳＩをブロードキャスティングする。セルのシステム情報の第１カテゴリの残りのＳＩは他のセルによってブロードキャスティングされるか、又は、オンデマンドに提供される。ＵＥはＳＩをリクエストしているセルに関する情報（例えば、セルＩＤ、周波数、セルインデックスなど）をリクエストに含める。
【００７１】
図７は、本開示の他の実施形態によってシステム情報を獲得する方法を示す。
図７を参照すれば、本開示のこの方法で、ＵＥは図７に示されたようにシステム情報を獲得する。システム情報ＳＩは２個のカテゴリに分類される。第１カテゴリＳＩ（最小ＳＩ又は必須ＳＩ）は、セル及び／又はＴＲＰによって周期的にブロードキャスティングされる一つ以上のシステム情報を含む。第２カテゴリＳＩ（「その他の」ＳＩともいう）は、オンデマンドにＵＥに提供されるか、又は周期的にブロードキャスティングされる一つ以上の共通システム情報を含む。
【００７２】
第１カテゴリＳＩはセルに対する初期アクセスのために必要な情報、第２カテゴリに属するシステム情報を獲得するために必要な情報などの必須システム情報を含む。システム情報の第１カテゴリは少なくともＳＦＮ、ＰＬＭＮ＿ＩＤのリスト、セルＩＤ、セルキャンピングパラメータなどを含む。システム情報の第２カテゴリは第１カテゴリに含まれないシステム情報を含む。システム情報の第１カテゴリ（最小ＳＩ又は必須ＳＩ）はセル及び／又はＴＲＰによって周期的にブロードキャスティングされる。
動作Ｓ７１０で、ＵＥはブロードキャスティングされた情報からシステム情報の第１カテゴリ（最小ＳＩ又は必須ＳＩ）を獲得する。
【００７３】
ネットワークはシステム情報の第１カテゴリ、即ち、最小ＳＩ又は必須ＳＩを用いて第２カテゴリのシステム情報が周期的にブロードキャスティングされるか、又はオンデマンドに提供されるかをシグナリングする。
例えば、不均質（異種）ネットワークがマクロセル及び小さいセルを含む場合に、マクロセルではシステム情報がブロードキャスティングされることを示すことができる一方、小さいセルではシステム情報がブロードキャスティングされないことを示す。他の例で、オンデマンドに提供されるシステム情報に対する幾つかのリクエストがある場合、ネットワークはシステム情報をオンデマンドに提供する代りにブロードキャスティングし始める。最小ＳＩ又は必須ＳＩは第２カテゴリの全てのＳＩが周期的にブロードキャスティングされるか、又はオンデマンドに提供されることを示すインディケーションを含む。
代案で、最小ＳＩ又は必須ＳＩは、各々のＳＩ（例えば、ＳＩＢ）又はＳＩセット（即ち、ＳＩＢ）に対する個別のインディケーションを含み、ここで、各々のインディケーションは連関されたＳＩ又はＳＩセットが周期的にブロードキャスティングされるか、又はオンデマンドに提供されるかを示す。
【００７４】
代案で、最小ＳＩ又は必須ＳＩは各々のＳＩメッセージに対する個別のインディケーションを含み、ここで、各々のＳＩメッセージは一つ以上のＳＩ（即ち、ＳＩＢ）を搬送する。ＳＩメッセージと連関されたインディケーションはＳＩメッセージと連関されたＳＩがブロードキャスティングされるか、又はオンデマンドに提供されるかを示す。ＳＩメッセージのＳＩＢへのマッピングは最小ＳＩ又は必須ＳＩに含まれる。
第２カテゴリのＳＩを獲得するため、ＵＥは先ず該ＳＩが周期的にブロードキャスティングされるか、又はオンデマンドに提供されるかを判断する。ＵＥはこれを第１カテゴリＳＩに含まれたインディケーションに基づいて決定する。
【００７５】
ＵＥが獲得することを望むＳＩが周期的にブロードキャスティングされるか、又はオンデマンドに提供されないことを第１カテゴリＳＩが示す場合、動作Ｓ７１０で、ＵＥはシステム情報の第１カテゴリＳＩに含まれたスケジューリング情報を用いて周期的ブロードキャストからＳＩを獲得する。
ＵＥが獲得するのを望むＳＩが周期的にブロードキャスティングされないか、又はオンデマンドに提供されることを第１カテゴリＳＩが示す場合、ＵＥはそのＳＩを受信するためにＢＳにリクエストを送る。
【００７６】
システム情報の第２カテゴリは共通システム情報と非共通システム情報とに更に分類されることができる。共通システム情報は関心ある特徴又はサービスに関わらず全てのＵＥが必要とする一つ以上のＳＩ（即ち、ＳＩＢ）を含む。非共通システム情報は全てのＵＥが必要とするわけではない一つ以上のＳＩ（即ち、ＳＩＢ）を含む。このようなＳＩは特定の特徴又はサービスに特有（例えば、Ｄ２Ｄ、ＭＴＣ、Ｖ２Ｖ、Ｖ２Ｘ、ＭＢＭＳ（ｍｕｌｔｉｍｅｄｉａ  ｂｒｏａｄｃａｓｔ／ｍｕｌｔｉｃａｓｔ  ｓｅｒｖｉｃｅ）などに係るＳＩＢ）である。
【００７７】
オンデマンドに提供された一つ以上のシステム情報を受信するため、動作Ｓ７２０で、ＵＥは、ランダムアクセスプリアンブル（ＰＲＡＣＨプリアンブル）を送信する。システム情報をリクエストするためのＰＲＡＣＨプリアンブル又はＰＲＡＣＨ機会（即ち、時間／周波数リソース）は他の目的のためにＰＲＡＣＨプリアンブル又はＰＲＡＣＨ機会と相異し得る。システム情報を獲得するためのＰＲＡＣＨプリアンブル又はＰＲＡＣＨ機会は事前定義されるか、又はの第１カテゴリＳＩを介してネットワークによってシグナリングされる。
【００７８】
ランダムアクセスプリアンブルを受信すると、動作Ｓ７３０で、ＢＳはＲＡＲを送信し、ＲＡＲはシステム情報リクエストメッセージを送信するためのＵＬ承認を含む。ＲＡＲは共通システム情報を含む。ＢＡＲは更にタイミングアドバンス及び／又はバックオフインディケータ及び／又はプリアンブル識別子（ＰＲＡＣＨプリアンブルを識別する）を含む。
【００７９】
ＵＥはＲＡＲがＵＥ自身により送信されたＰＲＡＣＨに対応することを検証する。検証が成功すれば、動作Ｓ７４０で、ＵＥは自分の必要によって１以上のシステム情報をリクエストするためにＵＬ承認の下にＳＩリクエストメッセージを送信する。ＳＩリクエストメッセージはシステム情報又はシステム情報セット又はサービス又はＵＥタイプを示す。ＵＥはＳＩリクエストメッセージと共に自分のＵＥ＿ＩＤ（即ち、Ｓ−ＴＭＳＩ、Ｃ−ＲＮＴＩ、ＲＡ−ＲＮＴＩなど）を送信する。ＳＩリクエストに応答し、ｅＮＢはＳＩ応答を送信し、ここでＳＩ応答は動作Ｓ７５０でリクエストされたシステム情報を含む。
【００８０】
ＳＩ応答を示すスケジューリング制御情報はＵＥ＿ＩＤ（例えば、Ｃ−ＲＮＴＩ、ＲＡ−ＲＮＴＩ）又は事前定義されたＩＤ（例えば、ＳＩ−ＲＮＴＩ）でマスキングできる。事前定義されたＩＤは相異なるシステム情報又はシステム情報セット又はサービス又はＵＥタイプに対して相異できる。ＵＥは上記説明されたオプション１乃至５の何れかを用いてＳＩリクエストに際して必要なシステム情報を示す。
【００８１】
実施形態で、ＵＥからＢＳへのＰＲＡＣＨプリアンブルに基づく、ＢＳからＵＥへのＲＡＲ（ｒａｎｄｏｍ  ａｃｃｅｓｓ  ｒｅｓｐｏｎｓｅ）のコンテンツは次のうちの何れか１つであれば良い。：
【００８２】
１。共通システム情報及びＵＬ（ｕｐｌｉｎｋ）承認なし：これはＵＥが共通ＳＩのみを要する場合である。
【００８３】
２。共通システム情報及びＵＬ承認：これはＵＥが共通ＳＩ及び幾つかの他のＳＩの双方を要する場合である。これは更ＵＥが共通ＳＩを要し、且つＲＡＲを受信した後に幾つかの幾つかの他のＲＲＣ（ｒａｄｉｏ  ｒｅｓｏｕｒｃｅ  ｃｏｎｔｒｏｌ）メッセージ（例えば、接続リクエスト、接続再開リクエストなど）の送信を欲する場合である。
【００８４】
３。ＵＬ承認：これはＵＥが任意のＳＩを要しないか、ＵＥが共通システム情報を要しないが幾つかの他のＳＩを要する場合である。
【００８５】
ＰＲＡＣＨプリアンブル及び／又はＰＲＡＣＨ機会は上述したこと（ＲＡＲのコンテンツ）の各々に対して相異し得る。このような場合の各々に対するシステム情報を獲得するためのＰＲＡＣＨプリアンブル又はＰＲＡＣＨ機会は、事前定義されるか、又はシステム情報の第１カテゴリ（最小ＳＩ又は必須ＳＩ）を介してネットワークによってシグナリングされる。
【００８６】
ＵＥはこれによって適切なＰＲＡＣＨプリアンブル及び／又はＰＲＡＣＨ機会を選択する。例えば、ＵＥは共通システム情報のみを要し得る。ＵＥが共通システム情報のみを要する場合、ＵＥは適切なＰＲＡＣＨプリアンブル及び／又はＰＲＡＣＨ機会を用いてｅＮＢに示す。このような目的のためのＰＲＡＣＨプリアンブル及び／又はＰＲＡＣＨ機会は他の目的と相異する。この場合に、ＵＥはＲＡＲを受信した後にＳＩリクエストを送信しないだろう。
【００８７】
他のシナリオで、ＵＥは共通システム情報を要し、更に付加的なシステム情報を要求することを欲する。この場合に、ＵＥはＲＡＲで共通システム情報及びＵＬ承認を要する。ＵＥは適切なＰＲＡＣＨプリアンブル及び／又はＰＲＡＣＨ機会を用いてｅＮＢに示す。このような目的のためのＰＲＡＣＨプリアンブル及び／又はＰＲＡＣＨ機会は、他の目的のためのＰＲＡＣＨプリアンブル及び／又はＰＲＡＣＨ機会と相異する。この場合に、ＵＥはＲＡＲを受信した後にＳＩリクエストを送信するだろう。他のシナリオで、ＵＥはシステム情報をリクエストするのを望むことができ、ＲＡＲでＵＬ承認を要する。ＵＥは適切なＰＲＡＣＨプリアンブル及び／又はＰＲＡＣＨ機会を用いてｅＮＢに示す。このような目的のためのＰＲＡＣＨプリアンブル及び／又はＰＲＡＣＨ機会は他の目的のためのＰＲＡＣＨプリアンブル及び／又はＰＲＡＣＨ機会と相異する。
【００８８】
実施形態で、ｅＮＢは一つ以上のセル及び／又はＴＲＰに対してリクエストされたシステム情報を提供できる。ｅＮＢはＳＩ応答で提供されたシステム情報が適用可能なセル及び／又はＴＲＰを示す。結果的に、ＵＥはＵＥがセル及び／又はＴＲＰを変更する時のシステム情報を要求する必要がない。セル及び／又はＴＲＰが変更された後、ＵＥが新しいセル及び／又はＴＲＰに対するシステム情報を有しないと、ＵＥはシステム情報をリクエストする。
【００８９】
本開示の他の実施形態で、ＢＳは必須システム情報でサポートされたＳＩを示す。ＵＥは前述された方法（図７）を用いてサポートされたＳＩのうちの１以上をリクエストする。
【００９０】
他の実施形態で、セルはシステム情報の第１カテゴリ内の幾つかのＳＩをブロードキャスティングする。セルのシステム情報の第１カテゴリ内の残りＳＩは他のセルによってブロードキャスティングされるか、オンデマンドに提供される。リクエスト内に、ＵＥはＳＩをリクエストしているセルに関する情報（例えば、セルＩＤ、周波数、セルインデックスなど）を含む。
【００９１】
図８は、本開示の他の実施形態によってシステム情報を獲得する方法を示す。
図８を参照すれば、本開示のこの方法により、ＵＥは図８に示されたようにシステム情報を獲得する。システム情報は２個のカテゴリに分類される。第１カテゴリ（最小ＳＩ又は必須ＳＩともいう）は、セル及び／又はＴＲＰによって周期的にブロードキャスティングされる一つ以上のシステム情報を含む。第２カテゴリ（「その他の」ＳＩ）は、オンデマンドにＵＥに提供されるか、又は周期的にブロードキャスティングされる一つ以上の共通システム情報を含む。
【００９２】
第１カテゴリＳＩはセルに対する初期アクセスのために必要な情報、及び第２カテゴリに属するシステム情報を獲得するために必要な情報などの必須システム情報を含む。システム情報の第１カテゴリは少なくともＳＦＮ、ＰＬＭＮ＿ＩＤのリスト、セルＩＤ、セルキャンピングパラメータなどを含む。システム情報の第２カテゴリは第１カテゴリに含まれないシステム情報を含む。
【００９３】
システム情報の第１カテゴリ（最小ＳＩ又は必須ＳＩ）はセル及び／又はＴＲＰによって周期的にブロードキャスティングされる。動作Ｓ８１０で、ＵＥはブロードキャスティングされた情報からシステム情報の第１カテゴリを獲得する。
【００９４】
ネットワークはシステム情報の第１カテゴリ、即ち、最小ＳＩ又は必須ＳＩにおいて第２カテゴリのシステム情報が周期的にブロードキャスティングされるか、又はオンデマンドに提供されるかをシグナリングする。
例えば、不均質（異種）ネットワークがマクロセル及び小さいセルを含む場合に、マクロセルではシステム情報がブロードキャスティングされることを示す一方、小さいセルではシステム情報がブロードキャスティングされないことを示す。
他の例で、オンデマンドに提供されるシステム情報に対する幾つかのリクエストがある場合、ネットワークはシステム情報をオンデマンドに提供する代りにブロードキャスティングし始める。
最小ＳＩ又は必須ＳＩは第２カテゴリの全てのＳＩが周期的にブロードキャスティングされるか、又はオンデマンドに提供されることを示すインディケーションを含む。
代案で、最小ＳＩ又は必須ＳＩは、各々のＳＩ（例えばＳＩＢ）又はＳＩセット（即ち、ＳＩＢ）に対する個別のインディケーションを含み、ここで、各々のインディケーションは連関されたＳＩ又はＳＩセットが周期的にブロードキャスティングされるか、又はオンデマンドに提供されるかを示す。
【００９５】
代案で、最小ＳＩ又は必須ＳＩは、各々のＳＩメッセージに対する個別のインディケーションを含むことができ、ここで、各々のＳＩメッセージは一つ以上のＳＩ（即ち、ＳＩＢ）を搬送する。ＳＩメッセージと連関されたインディケーションはＳＩメッセージと連関されたＳＩがブロードキャスティングされるか、又はオンデマンドに提供されるかを示す。ＳＩメッセージのＳＩＢへのマッピングは最小ＳＩ又は必須ＳＩに含まれる。
第２カテゴリのＳＩを獲得するため、ＵＥは先ず該ＳＩが周期的にブロードキャスティングされるか、又はオンデマンドに提供されるかを判断する。ＵＥはこれを第１カテゴリＳＩに含まれたインディケーションに基づいて決定する。
【００９６】
ＵＥが獲得するのを望むＳＩが周期的にブロードキャスティングされるか、又はオンデマンドに提供されないことを第１カテゴリＳＩ示す場合、動作Ｓ８１０で、ＵＥはシステム情報の第１カテゴリＳＩに含まれたスケジューリング情報を用いて周期的ブロードキャストからＳＩを獲得する。
ＵＥが獲得するのを望むＳＩが周期的にブロードキャスティングされないか、又はオンデマンドに提供されることを第１カテゴリＳＩ示す場合、ＵＥはそのＳＩを受信するためにＢＳにリクエストを送る。
【００９７】
システム情報の第２カテゴリは、共通システム情報と非共通システム情報とに更に分類される。共通システム情報は関心ある特徴又はサービスに関わらず全てのＵＥが必要とする一つ以上のＳＩ（即ち、ＳＩＢ）を含む。非共通システム情報は全てのＵＥが必要とするわけではない一つ以上のＳＩ（即ち、ＳＩＢ）を含む。このようなＳＩは特定の特徴又はサービスに特有（例えば、Ｄ２Ｄ、ＭＴＣ、Ｖ２Ｖ、Ｖ２Ｘ、ＭＢＭＳなどに係るＳＩＢ）である。
オンデマンドに提供された一つ以上のシステム情報を受信するため、動作Ｓ８２０で、ＵＥはランダムアクセスプリアンブル（ＰＲＡＣＨプリアンブル）を送信する。ＲＡＲでシステム情報を獲得するためのＰＲＡＣＨプリアンブル及び／又はＰＲＡＣＨ機会は他の目的のためにＰＲＡＣＨプリアンブル及び／又はＰＲＡＣＨ機会と相異する。
【００９８】
本開示の実施形態で、ＰＲＡＣＨプリアンブル（ランダムアクセスプリアンブルともいう）を受信すると、動作Ｓ８３０で、ＢＳはＲＡＲを送信する。ランダムアクセスプリアンブルはこの方法では、ＳＩリクエストとして作用する。ＲＡＲはＳＩ応答、即ち、共通システム情報を含む。
【００９９】
実施形態で、ＵＥは専用シグナリングを用いて必要な特定の他のシステム情報を獲得する（例えば、ＵＥは連結状態へ進入し、ｅＮＢに対して専用方式でシステム情報をリクエストする）。代案的な実施形態で、ＳＩに対するランダムアクセスプリアンブルを受信すると、ＳＩ応答はブロードキャスティングされるか、又はユニキャスト方式で提供される。ＳＩ応答を示すスケジューリング制御情報はＵＥ＿ＩＤ（例えば、Ｃ−ＲＮＴＩ、ＲＡ−ＲＮＴＩ）又は事前定義されたＩＤ（例えば、ＳＩ−ＲＮＴＩ）でもってマスキングされる。事前定義されたＩＤは相異するシステム情報又はシステム情報セット又はサービス又はＵＥタイプに対して相異できる。ＵＥによってリクエストされた一つ以上のＳＩ（即ち、ＳＩＢ）はＳＩリクエストを送信した後、或る一定の時間ウィンドウ（即ち、ＳＩ応答ウィンドウ）内に提供される。ＳＩリクエストを送信した後、ＵＥはリクエストされたＳＩＢを受信するためにＳＩ応答ウィンドウでＮＲ−ＰＤＣＣＨを聞き取る。
【０１００】
ＵＥがＳＩ応答ウィンドウ内でリクエストされたＳＩＢを受信しなければ、ＵＥはＳＩリクエストを再送信する。ＳＩ応答ウィンドウの長さは最小ＳＩ又は必須ＳＩに提供される。代案で、リクエストされたＳＩＢを受信するためにＳＩリクエストを送信した後、ＵＥはそのＳＩＢの一つ以上のＳＩ周期でリクエストされたＳＩＢのＳＩウィンドウをモニタリングする。
【０１０１】
ＳＩＢタイプ、妥当性（ｖａｌｉｄｉｔｙ）情報、周期性、ＳＩウィンドウ情報を含む他のＳＩに対するスケジューリング情報は、「その他の」ＳＩが周期的にブロードキャスティングされるか、又はオンデマンドに提供されるかに関わらず最小ＳＩ内において提供される。一実施形態で、ＵＥは先ずＳＩ応答ウィンドウでＳＩ応答をチェックし、受信されないと、リクエストされたＳＩを受信するためにＳＩウィンドウをモニタリングする。
【０１０２】
ＳＩ応答がＳＩ応答ウィンドウの代りにＳＩウィンドウ又はＲＡＲでブロードキャスティングされる実施形態で、ＲＡＲは相変らずＳＩリクエストの受信成功を確認応答（ａｃｋｎｏｗｌｅｄｇｅ）するために送信される。ＳＩ応答がＳＩ応答ウィンドウ代りにＳＩウィンドウ又はＲＡＲでブロードキャスティングされる実施形態で、ＳＩリクエストの受信成功は最小ＳＩにインディケーションを含めることによってＢＳによって示される。
【０１０３】
実施形態で、ｅＮＢは一つ以上のセル及び／又はＴＲＰに対するシステム情報を提供する。ｅＮＢはＲＡＲで提供されたシステム情報が適用可能なセル及び／又はＴＲＰを示す。結果的に、ＵＥはＵＥがセル及び／又はＴＲＰを変更する時にシステム情報に対してリクエストする必要がない。セル及び／又はＴＲＰが変更された後、ＵＥが新しいセル及び／又はＴＲＰに対するシステム情報を有しないならば、ＵＥはシステム情報をリクエストする。
【０１０４】
本開示の他の実施形態で、ＢＳは必須システム情報においてサポートされているＳＩを示す。その後、ＵＥは前述された方法（図８）を用いてサポートされているＳＩのうちの１つ以上をリクエストする。
【０１０５】
図９は、本開示の他の実施形態によってシステム情報を獲得する方法を示す。
図９を参照すれば、本開示のこの方法で、ＵＥは図９に示されたようにシステム情報を獲得する。システム情報は２個のカテゴリに分類される。第１カテゴリ（最小ＳＩ又は必須ＳＩ）はセル及び／又はＴＲＰによって周期的にブロードキャスティングされる一つ以上のシステム情報を含む。第２カテゴリ（「その他の」ＳＩ）はオンデマンドにＵＥに提供されるか、周期的にブロードキャスティングされる一つ以上の共通システム情報を含む。
【０１０６】
第１カテゴリはセルに対する初期アクセスのために必要な情報、第２カテゴリに属するシステム情報を獲得するために必要な情報などの必須システム情報を含む。システム情報の第１カテゴリは少なくともＳＦＮ、ＰＬＭＮ  ＩＤのリスト、セルＩＤ、セルキャンピングパラメータなどを含む。システム情報の第２カテゴリは第１カテゴリに含まれないシステム情報を含む。
【０１０７】
システム情報の第１カテゴリ（最小ＳＩ又は必須ＳＩ）はセル及び／又はＴＲＰによって周期的にブロードキャスティングされる。動作Ｓ９１０で、ＵＥはブロードキャスティングされた情報からシステム情報の第１カテゴリ（最小ＳＩ又は必須ＳＩ）を獲得する。
【０１０８】
ネットワークは、システム情報の第１カテゴリ、即ち、最小ＳＩ又は必須ＳＩを用いて第２カテゴリのシステム情報が周期的にブロードキャスティングされるか、又はオンデマンドに提供されるかをシグナリングする。例えば、不均質（異種）ネットワークがマクロセル及び小さいセルを含む場合に、マクロセルではシステム情報がブロードキャスティングされることを示す一方、小さいセルではシステム情報がブロードキャスティングされないことを示す。
【０１０９】
他の例で、オンデマンドに提供されるシステム情報に対する幾つかのリクエストがある場合、ネットワークはシステム情報をオンデマンドに提供する代りにブロードキャスティングし始める。
最小ＳＩ又は必須ＳＩは第２カテゴリの全てのＳＩが周期的にブロードキャスティングされるか、又はオンデマンドに提供されることを示すインディケーションを含む。
代案で、最小ＳＩ又は必須ＳＩは各々のＳＩ（例えばＳＩＢ）又はＳＩセット（即ち、ＳＩＢ）に対する個別のインディケーションを含み、ここで、各々のインディケーションは連関されたＳＩ又はＳＩセットが周期的にブロードキャスティングされるか、又はオンデマンドに提供されるかを示す。
【０１１０】
代案で、最小ＳＩ又は必須ＳＩは各々のＳＩメッセージに対する個別のインディケーションを含み、ここで、各々のＳＩメッセージは一つ以上のＳＩ（即ち、ＳＩＢ）を搬送する。ＳＩメッセージと連関されたインディケーションはＳＩメッセージと連関されたＳＩがブロードキャスティングされるか、又はオンデマンドに提供されるかを示す。ＳＩメッセージのＳＩＢへのマッピングは最小ＳＩ又は必須ＳＩに含まれる。第２カテゴリのＳＩを獲得するため、ＵＥは先ず該ＳＩが周期的にブロードキャスティングされるか、又はオンデマンドに提供されるかを判断する。
【０１１１】
ＵＥはこれをシステム情報の第１カテゴリＳＩに含まれたインディケーションに基づいて決定する。
ＵＥが獲得するのを望むＳＩが周期的にブロードキャスティングされるか、又はオンデマンドに提供されないことを示す場合、動作Ｓ９１０で、ＵＥはシステム情報の第１カテゴリＳＩに含まれたスケジューリング情報を用いて周期的ブロードキャストからＳＩを獲得する。
ＵＥが獲得するのを望むＳＩが周期的にブロードキャスティングされないか、又はオンデマンドに提供されることを示す場合、ＵＥはそのＳＩを受信するためにＢＳにリクエストを送る。
【０１１２】
システム情報の第２カテゴリは共通システム情報と非共通システム情報に更に分類される。共通システム情報は関心ある特徴又はサービスに関わらず全てのＵＥが要する一つ以上のＳＩ（即ち、ＳＩＢ）を含む。非共通システム情報は全てのＵＥが要する訳ではない一つ以上のＳＩ（即ち、ＳＩＢ）を含む。このようなＳＩは特徴又はサービスに特有（例えば、Ｄ２Ｄ、ＭＴＣ、Ｖ２Ｖ、Ｖ２Ｘ、ＭＢＭＳなどに係るＳＩＢ）である。
【０１１３】
オンデマンドに提供された一つ以上のシステム情報を受信するため、動作Ｓ９２０で、ＵＥはランダムアクセスプリアンブル（ＰＲＡＣＨ−ＳＩプリアンブル）を送信する。ランダムアクセスプリアンブルはこのような方法でＳＩリクエストとして作用する。ＲＡＲでシステム情報を獲得するためのＰＲＡＣＨプリアンブル及び／又はＰＲＡＣＨ機会は他の目的のためのＰＲＡＣＨプリアンブル及び／又はＰＲＡＣＨ機会と相異し得る。
【０１１４】
実施形態で、ＲＡＲでシステム情報を獲得するためのＰＲＡＣＨ−ＳＩプリアンブルは事前定義される。このオプションで、ＰＲＡＣＨ時間／周波数リソースは次のうちの何れか１つであれば良い。
【０１１５】
Ａｌｔ１：ＰＳＳ／ＳＳＳ／ＢＣＨ／ＳＦＮ０に対して相対的に固定される。
Ａｌｔ２：必須システム情報として提供される。
Ａｌｔ３：普通のＰＲＡＣＨ時間／周波数リソースを使用
【０１１６】
他の実施形態で、ＲＡＲでシステム情報を獲得するためのＰＲＡＣＨ−ＳＩプリアンブルは事前定義されていない。ＵＥは任意のＰＲＡＣＨプリアンブルを用いる。このオプションで、ＰＲＡＣＨ時間／周波数リソースはＰＲＡＣＨ−ＳＩプリアンブルに特有であり、次のうちの何れか１つであれば良い。：
【０１１７】
Ａｌｔ１：ＰＳＳ／ＳＳＳ／ＢＣＨ／ＳＦＮ０に対して相対的に固定される。
Ａｌｔ２：必須システム情報として提供される。
【０１１８】
ＵＥは次のオプションのうちの一つを用いてＰＲＡＣＨ−ＳＩ送信電力を決定する。：
【０１１９】
Ａｌｔ１：ＰＲＡＣＨと類似の開放ルーフ電力制御
Ａｌｔ２：最大電力での送信
Ａｌｔ３：送信電力が設定される。
【０１２０】
ＰＲＡＣＨ−ＳＩプリアンブルを受信すると、動作Ｓ９３０で、ＢＳはＲＡＲを送信する。ＲＡＲは他のシステム情報を含む。代案的な実施形態で、ＳＩに対するランダムアクセスプリアンブル、即ちＰＲＡＣＨ−ＳＩプリアンブルを受信すると、ＳＩ応答はブロードキャスティングされるか、又はユニキャスト方式で提供される。ＳＩ応答を示すスケジューリング制御情報はＵＥ＿ＩＤ（例えば、Ｃ−ＲＮＴＩ、ＲＡ−ＲＮＴＩ）又は事前定義されたＩＤ（例えば、ＳＩ−ＲＮＴＩ）でマスキングされる。事前定義されたＩＤは、相異するシステム情報又はシステム情報セット又はサービス又はＵＥタイプに対して互いに相異できる。
【０１２１】
ＵＥによってリクエストされた一つ以上のＳＩ（即ち、ＳＩＢ）はＳＩリクエストを送信した後、或る一定の時間ウィンドウ（即ち、ＳＩ応答ウィンドウ）内に提供される。ＳＩリクエストを送信した後、ＵＥはリクエストされたＳＩＢを受信するためにＳＩ応答ウィンドウでＮＲ−ＰＤＣＣＨを聞き取る。ＵＥがＳＩ応答ウィンドウ内でリクエストされたＳＩＢを受信しないと、ＵＥはＳＩリクエストを再送信する。ＳＩ応答ウィンドウの長さは最小ＳＩ又は必須ＳＩにおいて提供される。
【０１２２】
代案で、ＳＩリクエストを送信した後、リクエストされたＳＩＢを受信するために、ＵＥはそのＳＩＢの一つ以上のＳＩ周期でリクエストされたＳＩＢのＳＩウィンドウをモニタリングする。ＳＩＢタイプ、妥当性情報、周期性、ＳＩウィンドウ情報を含む他のＳＩに対するスケジューリング情報は他のＳＩが周期的にブロードキャスティングされるか、又はオンデマンドに提供されるかに関わらず最小ＳＩにおいて提供される。一実施形態で、ＵＥは先ずＳＩ応答ウィンドウでＳＩ応答をチェックし、受信されないと、リクエストされたＳＩを受信するためにＳＩウィンドウをモニタリングする。
ＳＩ応答がＳＩ応答ウィンドウの代りにＳＩウィンドウ又はＲＡＲでブロードキャスティングされる実施形態で、ＲＡＲは相変らずＳＩリクエストの受信成功を確認応答するために送信される。
【０１２３】
ＳＩ応答がＳＩ応答ウィンドウの代りにＳＩウィンドウ又はＲＡＲでブロードキャスティングされる実施形態で、ＳＩリクエストの受信成功は最小ＳＩにインディケーションを含めることによってＢＳによって示される。
【０１２４】
実施形態で、ｅＮＢは一つ以上のセルに対してリクエストされたシステム情報を提供する。ｅＮＢは提供されたシステム情報が適用可能なセルを示す。結果的に、ＵＥは  ＵＥがセルを変更する時にシステム情報に対してリクエストする必要がない。セルが変更された後、ＵＥが新しいセルに対するシステム情報を有しないと、ＵＥはシステム情報をリクエストする。
【０１２５】
本開示の他の実施形態で、ＢＳは必須システム情報においてサポートされているＳＩを示す。その後、ＵＥは前に説明された方法（図９）を用いてサポートされているＳＩのうちの１つ以上をリクエストする。
【０１２６】
図１０は、本開示の実施形態によって、ブロードキャスティングされた必須システム情報において、「その他の」システム情報がブロードキャスティングされるか否かを示す方法を示す。
図１０を参照すれば、本開示の実施形態で、（必須システム情報と異なる）システム情報は更にＢＳによってブロードキャスティングされる。ＢＳはブロードキャスティングされた必須システム情報において図１０に示されたように、「その他の」システム情報がブロードキャスティングされるか否かを示す。ブロードキャスティングされなければ、ＵＥは前述された方法（図９）を用いてリクエストする。
【０１２７】
動作Ｓ１０１０で、ＢＳは最小／必須システム情報（例えば、ＳＩ＿ＴＸ＿Ｉｎｄｉｃａｔｉｏｎを０にセッティングする）を周期的にブロードキャスティングする。動作Ｓ１０２０及びＳ１０３０で、ＵＥはＳＩ＿ＴＸ＿Ｉｎｄｉｃａｔｉｏｎが０にセッティングされる時に「その他の」システム情報を獲得するためにＰＲＡＣＨ−ＳＩプリアンブルを送信する。動作Ｓ１０４０で、ＢＳはＰＲＡＣＨ−ＳＩに応答して、「その他の」システム情報を含むＳＩ−Ｒｅｓｐｏｎｓｅ／ＲＡＲ−ＳＩを送信する。
【０１２８】
動作Ｓ１０５０で、ＢＳは最小／必須システム情報（例えば、ＳＩ＿ＴＸ＿Ｉｎｄｉｃａｔｉｏｎを１にセッティングする）を周期的にブロードキャスティングする。動作（Ｓ１０６０及びＳ１０７０）で、ＵＥはＳＩ＿ＴＸ＿Ｉｎｄｉｃａｔｉｏｎが１にセッティングされる時にブロードキャストシグナリングから、「その他の」システム情報を獲得する。
【０１２９】
ブロードキャスティングされると、ＵＥは必要なシステム情報を獲得するためにブロードキャスティングされたシステム情報を判読する。不均質（異種）ネットワークがマクロセル及び小さいセルを含む場合に、マクロセルではシステム情報がブロードキャスティングされることを示す一方（例えば、ＳＩ＿ＴＸ＿Ｉｎｄｉｃａｔｉｏｎを１にセッティングする）、小さいセルではシステム情報がブロードキャスティングされないことを示す（例えば、ＳＩ＿ＴＸ＿Ｉｎｄｉｃａｔｉｏｎを０にセッティングする）。
【０１３０】
実施形態で、ＳＩ＿ＴＸ＿Ｉｎｄｉｃａｔｉｏｎは各々のＳＩ又はＳＩセットに対して最小／必須システム情報においてシグナリングできる。
【０１３１】
実施形態で、ＢＳは一つ以上のセルに対してリクエストされたシステム情報を提供する。ｅＮＢはＲＡＲ−ＳＩに提供されたシステム情報が適用可能なセルを示す。結果的に、ＵＥはＵＥがセルを変更する時にシステム情報をリクエストする必要がない。セルが変更された後、ＵＥが新しいセルに対するシステム情報を有しないと、ＵＥはシステム情報をリクエストする。
【０１３２】
図１１は、本開示の他の実施形態によってシステム情報を獲得する方法を示す。
図１１を参照すれば、本開示のこのような方法で、ＵＥは図１１に示されたようにシステム情報を獲得することができる。システム情報は２個のカテゴリに分類される。第１カテゴリＳＩ（最小ＳＩ又は必須ＳＩ）は、セル及び／又はＴＲＰによって周期的にブロードキャスティングされる一つ以上のシステム情報を含む。第２カテゴリＳＩ（「その他の」ＳＩ）は、オンデマンドにＵＥに提供されるか、又は周期的にブロードキャスティングされる一つ以上の共通システム情報を含む。
【０１３３】
第１カテゴリはセルに対する初期アクセスのために必要な情報、及び第２カテゴリに属するシステム情報を獲得するために必要な情報などの必須システム情報を含む。
システム情報の第２カテゴリは第１カテゴリに含まれないシステム情報を含む。システム情報の第１カテゴリ（最小ＳＩ又は必須ＳＩ）はセル及び／又はＴＲＰによって周期的にブロードキャスティングされる。動作Ｓ１１１０で、ＵＥはブロードキャスティングされた情報からシステム情報の第１カテゴリ（最小ＳＩ又は必須ＳＩともいう）を獲得する。
【０１３４】
ネットワークはシステム情報の第１カテゴリ、即ち、最小ＳＩ又は必須ＳＩを用いて第２カテゴリのシステム情報が周期的にブロードキャスティングされるか、又はオンデマンドに提供されるかをシグナリングする。例えば、不均質（異種）ネットワークがマクロセル及び小さいセルを含む場合に、マクロセルではシステム情報がブロードキャスティングされることを示す一方、小さいセルではシステム情報がブロードキャスティングされないことを示す。
【０１３５】
他の例で、オンデマンドに提供されるシステム情報に対する幾つかのリクエストがある場合、ネットワークはシステム情報をオンデマンドに提供する代りにブロードキャスティングし始める。
最小ＳＩ又は必須ＳＩは、システム情報の第２カテゴリの全てのＳＩが周期的にブロードキャスティングされるか、又はオンデマンドに提供されることを示すインディケーションを含む。
代案で、最小ＳＩ又は必須ＳＩは、各々のＳＩ（例えば、ＳＩＢ）又はＳＩセット（即ち、ＳＩＢ）に対する個別のインディケーションを含み、ここで、各々のインディケーションは連関されたＳＩ又はＳＩセットが周期的にブロードキャスティングされるか、又はオンデマンドに提供されるかを示す。
【０１３６】
代案で、最小ＳＩ又は必須ＳＩは各々のＳＩメッセージに対する個別のインディケーションを含み、ここで、各々のＳＩメッセージは一つ以上のＳＩ（即ち、ＳＩＢ）を搬送する。ＳＩメッセージと連関されたインディケーションはＳＩメッセージと連関されたＳＩがブロードキャスティングされるか、又はオンデマンドに提供されるかを示す。ＳＩメッセージのＳＩＢへのマッピングは最小ＳＩ又は必須ＳＩに含まれる。
第２カテゴリのＳＩを獲得するため、ＵＥは先ず該ＳＩが周期的にブロードキャスティングされるか、又はオンデマンドに提供されるかを判断する。
【０１３７】
ＵＥはこれをシステム情報の第１カテゴリＳＩ（最小ＳＩ又は必須ＳＩ）に含まれたインディケーションに基づいて決定する。
ＵＥが獲得するのを望むＳＩが周期的にブロードキャスティングされるか、又はオンデマンドに提供されないことを第１カテゴリＳＩが示す場合、動作Ｓ１１１０で、ＵＥはシステム情報の第１カテゴリに含まれたスケジューリング情報を用いて周期的ブロードキャストからＳＩを獲得する。
ＵＥが獲得するのを望むＳＩが周期的にブロードキャスティングされないか、又はオンデマンドに提供されることを第１カテゴリＳＩが示す場合、ＵＥはそのＳＩを受信するためにＢＳにリクエストを送る。
【０１３８】
システム情報の第２カテゴリは共通システム情報と非共通システム情報とに更に分類される。共通システム情報は関心ある特徴又はサービスに関係わらず全てのＵＥが要する一つ以上のＳＩ（即ち、ＳＩＢ）を含む。非共通システム情報は全てのＵＥが要するとは限らない一つ以上のＳＩ（即ち、ＳＩＢ）を含む。このようなＳＩは特定の特徴又はサービスに特有（例えば、Ｄ２Ｄ、ＭＴＣ、Ｖ２Ｖ、Ｖ２Ｘ、ＭＢＭＳなどに係るＳＩＢ）である。
【０１３９】
「その他の」システム情報をオンデマンドで受信するため、動作Ｓ１１２０で、ＵＥはランダムアクセスプリアンブル（ＰＲＡＣＨ−ＳＩ）を送信する。ランダムアクセスプリアンブルはこのような方法でＳＩリクエストとして作用する。ＲＡＲでシステム情報を獲得するためのＰＲＡＣＨプリアンブル及び／又はＰＲＡＣＨ機会は他の目的のためのＰＲＡＣＨプリアンブル及び／又はＰＲＡＣＨ機会と相異し得る。
【０１４０】
各々のＳＩ（即ち、ＳＩＢ）又はＳＩセット（即ち、ＳＩＢ）に対するＰＲＡＣＨプリアンブル及び／又はＰＲＡＣＨ機会は、事前定義されるか、第１カテゴリＳＩを介してシグナリングされる。一実施形態で、ＲＡＲにおいてシステム情報を獲得するためのＰＲＡＣＨ−ＳＩプリアンブルは事前定義される。
【０１４１】
ＰＲＡＣＨ−ＳＩプリアンブルは、システム情報又はシステム情報セット又はＵＥタイプのサービスに特有であり得る。このオプションでは、ＰＲＡＣＨ時間／周波数リソースは次のうちの何れか１つであれば良い。：
【０１４２】
Ａｌｔ１：ＰＳＳ／ＳＳＳ／ＢＣＨ／ＳＦＮ０に対して相対的に固定される。
Ａｌｔ２：必須システム情報として提供される。
これはシステム情報又はシステム情報セット又はサービス又はＵＥタイプに特有であり得る。
Ａｌｔ３：ＰＲＡＣＨ時間／周波数リソースを使用。
【０１４３】
他の実施形態で、ＲＡＲでシステム情報を獲得するためのＰＲＡＣＨ−ＳＩプリアンブルは事前定義されていない。ＵＥは任意のＰＲＡＣＨプリアンブルを用いる。このオプションで、ＰＲＡＣＨ時間／周波数リソースはＰＲＡＣＨ−ＳＩに特有であり、次のうちの何れか１つであれば良い。：
【０１４４】
Ａｌｔ１：ＰＳＳ／ＳＳＳ／ＢＣＨ／ＳＦＮ０に対して相対的に固定される。
Ａｌｔ２：必須システム情報として提供される。これはシステム情報又はシステム情報セット又はサービス又はＵＥタイプに特有である。
【０１４５】
ＵＥは次のオプションのうちの一つを用いてＰＲＡＣＨ−ＳＩ送信電力を決定する。：
【０１４６】
Ａｌｔ１：ＰＲＡＣＨと類似の開放ルーフ電力制御
Ａｌｔ２：最大電力での送信
Ａｌｔ３：送信電力が設定される。
【０１４７】
ＰＲＡＣＨ−ＳＩを受信すると、動作Ｓ１１３０で、ＢＳはＲＡＲを送信する。ＲＡＲはリクエストされたシステム情報を含む。代案的な実施形態で、ＳＩに対するランダムアクセスプリアンブル、即ちＰＲＡＣＨ−ＳＩを受信すれば、ＳＩ応答はブロードキャスティングされるか、又はユニキャスト方式で提供される。ＳＩ応答を示すスケジューリング制御情報はＵＥのＩＤ（例えば、Ｃ−ＲＮＴＩ、ＲＡ−ＲＮＴＩ）又は事前定義されたＩＤ（例えば、ＳＩ−ＲＮＴＩ）でマスキングされる。事前定義されたＩＤは、相異するシステム情報又はシステム情報セット又はサービス又はＵＥタイプに対して互いに相異できる。
【０１４８】
ＵＥによってリクエストされた一つ以上のＳＩ（即ち、ＳＩＢ）はＳＩリクエストを送信した後、或る一定の時間ウィンドウ（即ち、ＳＩ応答ウィンドウ）内に提供される。ＳＩリクエストを送信した後、ＵＥはリクエストされたＳＩＢを受信するためにＳＩ応答ウィンドウでＮＲ−ＰＤＣＣＨを聞き取る。ＵＥがＳＩ応答ウィンドウ内でリクエストされたＳＩＢを受信しなければ、ＵＥはＳＩリクエストを再送信する。ＳＩ応答ウィンドウの長さは最小ＳＩ又は必須ＳＩにおいて提供される。
【０１４９】
代案で、ＳＩリクエストを送信した後、リクエストされたＳＩＢを受信するために、ＵＥはそのＳＩＢの一つ以上のＳＩ周期でリクエストされたＳＩＢのＳＩウィンドウをモニタリングする。ＳＩＢタイプ、妥当性情報、周期性、ＳＩウィンドウ情報を含む他のＳＩに対するスケジューリング情報は他のＳＩが周期的にブロードキャスティングされるか又はオンデマンドに提供されるかに関わらず最小ＳＩにおいて提供される。一実施形態で、ＵＥは先ずＳＩ応答ウィンドウでＳＩ応答をチェックし、受信されないと、リクエストされたＳＩを受信するためにＳＩウィンドウをモニタリングする。
【０１５０】
ＳＩ応答がＳＩ応答ウィンドウの代りにＳＩウィンドウ又はＲＡＲでブロードキャスティングされる実施形態で、ＲＡＲは相変らずＳＩリクエストの受信成功を確認応答するために送信される。
ＳＩ応答がＳＩ応答ウィンドウの代りにＳＩウィンドウ又はＲＡＲでブロードキャスティングされる実施形態で、ＳＩリクエストの受信成功は最小ＳＩにインディケーションを含めることによってＢＳによって示される。
【０１５１】
図１２は、本開示の他の実施形態によってブロードキャスティングされた必須システム情報において「その他の」システム情報がブロードキャスティングされるか否かを示す方法を示す。
図１２を参照すれば、本開示の他の実施形態で、（必須システム情報と異なる）システム情報は更にＢＳによってブロードキャスティングされることができる。ＢＳはブロードキャスティングされた必須システム情報において図１２に示されたように他のシステム情報がブロードキャスティングされるか否かを示すことができる。
【０１５２】
動作Ｓ１２１０で、ＢＳは最小／必須システム情報（例えば、ＳＩ＿ＴＸ＿Ｉｎｄｉｃａｔｉｏｎを０でセッティングする）を周期的にブロードキャスティングする。一実施形態で、ＳＩ又はＳＩセット又はサービスに特有のインディケーション（システム情報をリクエストするインディケーション又はシステム情報がブロードキャスティングされるインディケーション）があり得る。
【０１５３】
動作Ｓ１２２０及びＳ１２３０で、ＳＩ＿ＴＸ＿Ｉｎｄｉｃａｔｉｏｎに応答し、ＵＥは「その他の」システム情報を獲得するためにＳＩＲｅｑｕｅｓｔ／ＰＲＡＣＨ−ＳＩを送信する。ＳＩＲｅｑｕｅｓｔ／ＰＲＡＣＨ−ＳＩはＳＩ又はＳＩセット又はサービスに特有である。動作１２４０で、ＢＳはＰＲＡＣＨ−ＳＩに応答してリクエストされたシステム情報を含むＳＩ−Ｒｅｓｐｏｎｓｅ／ＲＡＲ−ＳＩを送信する。
【０１５４】
システム情報がブロードキャスティングされないと、ＵＥは前述された方法（図１１）を用いてリクエストする。ブロードキャスティングされると、ＵＥは必要なシステム情報を獲得するためにブロードキャスティングされたシステム情報を判読する。オンデマンド・シグナリング、即ち、システム情報をリクエストするためにＰＲＡＣＨ−ＳＩ情報がブロードキャスティングされる場合、この情報がブロードキャスティングされた必須システム情報中に存在しなければ、それは、ＵＥがブロードキャストシグナリングからシステム情報を判読できることを示す。
不均一（異種）ネットワークがマクロセル及び小さいセルを含む場合に、マクロセルではシステム情報がブロードキャスティングされることを示す一方（例えば、ＳＩ＿ＴＸ＿Ｉｎｄｉｃａｔｉｏｎを１にセッティングする）、小さいセルではシステム情報がブロードキャスティングされないことを示す（例えば、ＳＩ＿ＴＸ＿Ｉｎｄｉｃａｔｉｏｎを０にセッティングする）。
【０１５５】
一実施形態で、ｅＮＢは一つ以上のセルに対してリクエストされたシステム情報を提供する。ｅＮＢは提供されたシステム情報が適用可能なセルを示す。結果的に、ＵＥはＵＥがセルを変更する時にシステム情報に対してリクエストする必要がない。セルが変更された後、ＵＥが新しいセルに対するシステム情報を有しないならば、ＵＥはシステム情報をリクエストする。
【０１５６】
本開示の他の実施形態で、ＢＳは更に必須システム情報においてサポートされているＳＩを示す。その後、ＵＥは前述された方法（図１）を用いてサポートされているＳＩのうちの１つ以上をリクエストする。
【０１５７】
図１３は、本開示の他の実施形態によってシステム情報を獲得する方法を示す。
図１３を参照すれば、本開示のこの方法で、ＵＥは図１３に示されたようにシステム情報を獲得する。システム情報は２個のカテゴリに分類される。第１カテゴリ（最小ＳＩ又は必須ＳＩ）はセル及び／又はＴＲＰによって周期的にブロードキャスティングされる一つ以上のシステム情報を含む。第２カテゴリ（「その他の」ＳＩ）はオンデマンドにＵＥに提供されるか、又は周期的にブロードキャスティングされる一つ以上の共通システム情報を含む。
【０１５８】
第１カテゴリＳＩはセルに対する初期アクセスのために必要な情報、及び第２カテゴリに属するシステム情報を獲得するのに必要な情報などの必須システム情報を含む。システム情報の第２カテゴリは第１カテゴリに含まれないシステム情報を含む。
【０１５９】
この方法で、ＢＳはシステム情報の第１カテゴリ（最小ＳＩ又は必須ＳＩ）をブロードキャスティングする。動作Ｓ１３１０で、ＵＥはブロードキャスティングされた情報からシステム情報の第１カテゴリ（最小ＳＩ又は必須ＳＩ）を獲得する。
【０１６０】
ネットワークはシステム情報の第１カテゴリ、即ち、最小ＳＩ又は必須ＳＩにおいて第２カテゴリのシステム情報が周期的にブロードキャスティングされるか、又はオンデマンドに提供されるかをシグナリングする。
例えば、不均質（異種）ネットワークがマクロセル及び小さいセルを含む場合に、マクロセルではシステム情報がブロードキャスティングされることを示す一方、小さいセルではシステム情報がブロードキャスティングされないことを示す。
【０１６１】
他の例で、オンデマンドに提供されるシステム情報に対する幾つかのリクエストがある場合、ネットワークはシステム情報をオンデマンドに提供する代りにブロードキャスティングし始める。
最小ＳＩ又は必須ＳＩは、第２カテゴリの全てのＳＩが周期的にブロードキャスティングされるか、又はオンデマンドに提供されることを示すインディケーションを含む。
【０１６２】
代案で、最小ＳＩ又は必須ＳＩは、各々のＳＩ（例えば、ＳＩＢ）又はＳＩセット（即ち、ＳＩＢ）に対する個別のインディケーションを含み、ここで、各々のインディケーションは連関されたＳＩ又はＳＩセットが周期的にブロードキャスティングされるか、又はオンデマンドに提供されるかを示す。
代案で、最小ＳＩ又は必須ＳＩは、各々のＳＩメッセージに対する個別のインディケーションを含み、ここで、各々のＳＩメッセージは一つ以上のＳＩ（即ち、ＳＩＢ）を搬送する。ＳＩメッセージと連関されたインディケーションはＳＩメッセージと連関されたＳＩがブロードキャスティングされるか、又はオンデマンドに提供されるかを示す。
ＳＩメッセージのＳＩＢへのマッピングは最小ＳＩ又は必須ＳＩに含まれる。
第２カテゴリのＳＩを獲得するため、ＵＥは先ず該ＳＩが周期的にブロードキャスティングされるか、又はオンデマンドに提供されるかを判断する。ＵＥはこれをシステム情報の第１カテゴリ（最小ＳＩ又は必須ＳＩ）に含まれたインディケーションに基づいて決定する。
ＵＥが獲得するのを望むＳＩが周期的にブロードキャスティングされるか、又はオンデマンドに提供されないことを第１カテゴリＳＩが示す場合、ＵＥはシステム情報の第１カテゴリに含まれたスケジューリング情報を用いて周期的ブロードキャストからＳＩを獲得する。
【０１６３】
ＵＥが獲得するのを望むＳＩが周期的にブロードキャスティングされないか、又はオンデマンドに提供されることを第１カテゴリＳＩが示す場合、動作Ｓ１３２０で、ＵＥはそのＳＩを受信するためにＢＳにリクエストを送る。選択的に、動作Ｓ１３３０で、ＢＳはＲＡＲメッセージでＳＩを送信する。
【０１６４】
この方法で、ＢＳは更に「その他の」システム情報に関するスケジューリング情報をブロードキャスティングする。しかし、「その他の」システム情報は周期的にブロードキャスティングされない。ＢＳは動作Ｓ１３４０及びＳ１３５０でＵＥからトリガ（例えば、ＰＲＡＣＨ−ＳＩ）を受信すると、定義された持続時間の間の「その他の」システム情報をブロードキャスティングする。トリガは一つのシステム情報又はシステム情報セット又はサービス又はＵＥタイプに特有である。
ＵＥからトリガを受信した後にシステム情報がブロードキャスティングされる時間の間、ＢＳは該システム情報をブロードキャストしている旨のインディケーションをブロードキャスティングする。インディケーションは該システム情報又はシステム情報セット又はサービス又はＵＥタイプに特有である。これは他のＵＥがＰＲＡＣＨ−ＳＩをトリガせず、ブロードキャストからシステム情報を確かに判読するようにするためである。
ブロードキャスティングするトリガはネットワークによって設定されたタイムスロットで送信される。一実施形態で、ブロードキャスティングするトリガは特定システム情報の位置に関して一度に送信される。動作Ｓ１３６０で、ＢＳはブロードキャスティングし、ＵＥは必須ＳＩを獲得する。動作Ｓ１３７０で、ＢＳはブロードキャスティングし、ＵＥはＳＩを獲得し、ＳＩの位置は必須ＳＩに示される。
【０１６５】
図１４は、本開示の他の実施形態によってシステム情報を獲得する方法を示す。本開示のこの方法で、ＵＥは図１４に示されたようにシステム情報を獲得できる。
図１４を参照すれば、本開示のこの方法で、ＵＥは図１４に示されたようにシステム情報を獲得する。システム情報は２個のカテゴリに分類される。第１カテゴリ（最小ＳＩ又は必須ＳＩ）はセル及び／又はＴＲＰによって周期的にブロードキャスティングされる一つ以上のシステム情報を含む。第２カテゴリ（「その他の」ＳＩ）はオンデマンドにＵＥに提供されるか、又は、周期的にブロードキャスティングされる一つ以上の共通システム情報を含む。
【０１６６】
第１カテゴリＳＩはセルに対する初期アクセスのために必要な情報、及び第２カテゴリに属するシステム情報を獲得するのに必要な情報などの必須システム情報を含む。システム情報の第２カテゴリは第１カテゴリに含まれないシステム情報を含む。
この方法で、ＢＳはシステム情報の第１カテゴリ（最小ＳＩ又は必須ＳＩ）をブロードキャスティングする。動作Ｓ１４１０で、ＵＥはブロードキャスティングされた情報からシステム情報の第１カテゴリ（最小ＳＩ又は必須ＳＩ）を獲得する。
【０１６７】
ネットワークはシステム情報の第１カテゴリ、即ち、最小ＳＩ又は必須ＳＩにおいて第２カテゴリのシステム情報が周期的にブロードキャスティングされるか、又はオンデマンドに提供されるかをシグナリングする。
例えば、不均質（異種）ネットワークがマクロセル及び小さいセルを含む場合に、マクロセルではシステム情報がブロードキャスティングされることを示す一方、小さいセルではシステム情報がブロードキャスティングされないことを示す。
他の例で、オンデマンドに提供されるシステム情報に対する幾つかのリクエストがある場合、ネットワークはシステム情報をオンデマンドに提供する代りにブロードキャスティングし始める。
【０１６８】
最小ＳＩ又は必須ＳＩは、第２カテゴリのＳＩが周期的にブロードキャスティングされるか、又はオンデマンドに提供されることを示すインディケーションを含む。
代案で、最小ＳＩ又は必須ＳＩは各々のＳＩ（例えば、ＳＩＢ）又はＳＩセット（即ち、ＳＩＢ）に対する個別のインディケーションを含み、ここで、各々のインディケーションは連関されたＳＩ又はＳＩセットが周期的にブロードキャスティングされるか、又はオンデマンドに提供されるかを示す。
代案で、最小ＳＩ又は必須ＳＩは各々のＳＩメッセージに対する個別のインディケーションを含み、ここで、各々のＳＩメッセージは一つ以上のＳＩ（即ち、ＳＩＢ）を搬送する。ＳＩメッセージと連関されたインディケーションはＳＩメッセージと連関されたＳＩがブロードキャスティングされるか、又はオンデマンドに提供されるかを示す。
ＳＩメッセージのＳＩＢへのマッピングは最小ＳＩ又は必須ＳＩに含まれる。
【０１６９】
第２カテゴリのＳＩを獲得するため、ＵＥは先ず該ＳＩが周期的にブロードキャスティングされるか、又はオンデマンドに提供されるかを判断する。ＵＥはこれをシステム情報の第１カテゴリ（最小ＳＩ又は必須ＳＩ）に含まれたインディケーションに基づいて決定する。
ＵＥが獲得するのを願うＳＩが周期的にブロードキャスティングされるか、又はオンデマンドに提供されないことを第１カテゴリＳＩが示す場合、ＵＥはシステム情報の第１カテゴリ（最小ＳＩ又は必須ＳＩ）に含まれたスケジューリング情報を用いて周期的ブロードキャストからＳＩを獲得する。
ＵＥが獲得するのを望むＳＩが周期的にブロードキャスティングされないか、又はオンデマンドに提供されることを第１カテゴリＳＩが示す場合、ＵＥはそのＳＩを受信するためにＢＳにリクエストを送る。
【０１７０】
オンデマンドに提供される一つ以上のＳＩを獲得するため、動作Ｓ１４２０で、ＵＥがＲＲＣ（ｒａｄｉｏ  ｒｅｓｏｕｒｃｅ  ｃｏｎｔｒｏｌ）遊休状態にある場合、ＵＥはＲＲＣ接続セットアップ手続きを行う。ＲＲＣ接続状態で、動作Ｓ１４３０で、ＵＥはＳＩリクエストメッセージを送信する。ＳＩリクエストメッセージはＵＥが要する一つ以上のシステム情報を示すか、ＵＥが要するシステム情報の一つ以上のセットを示すか、ＵＥがシステム情報又はＵＥタイプを要するサービス（例えば、ｅＭＢＢ、ＭＴＣ、ＵＲＬＬ  など）を示す。ＵＥはＳＩリクエストメッセージと共に自分のＵＥ＿ＩＤ（即ち、Ｓ−ＴＭＳＩ、Ｃ−ＲＮＴＩ、ＲＡ−ＲＮＴＩなど）を送信する。
【０１７１】
ＳＩリクエストに応答し、動作Ｓ１４４０で、ＢＳはＳＩ応答を送信し、ここで、ＳＩ応答はリクエストされたシステム情報を含む。ＳＩ応答を示すスケジューリング制御情報はＵＥ＿ＩＤ（例えば、Ｃ−ＲＮＴＩ、ＲＡ−ＲＮＴＩ）又は事前定義されたＩＤ（例えば、ＳＩ−ＲＮＴＩ）でマスキングできる。事前定義されたＩＤは互いに相異なるシステム情報又はシステム情報セット又はサービス又はＵＥタイプに対して相異し得る。
【０１７２】
ＵＥは、上記説明されたオプション１乃至５の何れかのメカニズムを用いてＳＩリクエストにおいて必要なシステム情報を示すことができる。
【０１７３】
一実施形態で、ＳＩリクエストはＲＲＣ接続リクエストに含まれ、ＳＩ応答はＲＲＣ接続応答に含まれる。他の実施形態で、ＢＳはＵＥによってサポートされるサービスに基づくか、ＵＥが接続をリクエストしたサービスに基づいてＵＥによって必要なシステム情報を決定でき、専用シグナリングを用いてシステム情報をＵＥに提供できる。
【０１７４】
実施形態で、ｅＮＢは一つ以上のセルに対してリクエストされたシステム情報を提供できる。ｅＮＢはＳＩ応答に提供されたシステム情報が適用可能なセルを示すことができる。結果的に、ＵＥはＵＥがセルを変更する時のシステム情報に対して（ｆｏｒ）リクエストする必要がない。セルが変更された後、ＵＥが新しいセルに対するシステム情報を有しないと、ＵＥはシステムをリクエストする。
【０１７５】
他の実施形態で、セルはシステム情報の第１カテゴリで幾つかのＳＩをブロードキャスティングできる。セルのシステム情報の第１カテゴリの残りＳＩは他のセルによってブロードキャスティングされるか、オンデマンドに提供されることができる。リクエストにおいて、ＵＥはＳＩをリクエストしているセルに関する情報（例えば、セルＩＤ、周波数、セルインデックスなど）を含むことができる。
【０１７６】
図１５は、本開示の他の実施形態によってシステム情報を獲得する方法を示す。
図１５を参照すれば、本開示のこの方法で、ＵＥは図１５に示されたようにシステム情報を獲得する。動作Ｓ１５１０で、ＢＳ（又は５Ｇセル）は同期化信号、即ち、ＰＳＳ／ＳＳＳをブロードキャスティングする。システム情報は周期的にブロードキャスティングされない。
【０１７７】
ＳＩをリクエストするため、動作Ｓ１５２０で、ＵＥはＰＲＡＣＨ−ＳＩプリアンブルを送信する。ＰＲＡＣＨ−ＳＩプリアンブルは事前定義される。ＰＲＡＣＨ−ＳＩ送信のための時間及び周波数リソースはＰＳＳ／ＳＳＳに関して定義される。ＰＲＡＣＨ−ＳＩプリアンブルを受信すると、動作Ｓ１５３０で、ＢＳは最小ＳＩ又はシステム情報又は共通システム情報をブロードキャスティングする。任意のシステム情報がブロードキャスティングされなければ、ＵＥは前述された方法を用いて獲得する。
【０１７８】
上述した方法で、ＵＥはオンデマンドにシステム情報をリクエストし、本開示でネットワークはＵＥがリクエストできる期間を設定できる。これによりあまりにも多いリクエストを低減できる。
【０１７９】
応答がブロードキャスティングされると、応答はリクエストが送信される時間に対して（ｒｅｌａｔｉｖｅ＿ｔｏ）時間ウィンドウにあり得る。オンデマンドにシステム情報に対するＵＥリクエストで上述した方法で、ＵＥは望むシステム情報をリクエストする前に望むシステム情報を受信するために定義された持続時間の間のブロードキャスト送信をモニタリングできる。
【０１８０】
図１６は、本開示の実施形態によって時間ウィンドウ内でシステム情報を提供する方法を示す。
図１６を参照すれば、ＳＩリクエストを送信した後、ＵＥによってリクエストされた一つ以上のＳＩＢは或る一定の時間ウィンドウ（即ち、ＳＩ応答ウィンドウ）内に提供される。ＳＩリクエストを送信した後、ＵＥはリクエストされたＳＩＢを受信するためにＳＩ応答ウィンドウでＮＲ−ＰＤＣＣＨを聞き取る。ＵＥがＳＩ応答ウィンドウ内でリクエストされたＳＩＢを受信しなければ、ＵＥはＳＩリクエストを再送信する。
【０１８１】
実施形態で、ＳＩ応答ウィンドウの長さはＭＳＩ（ｍｏｂｉｌｅ  ｓｕｂｓｃｒｉｂｅｒ  ｉｄｅｎｔｉｔｙ）（必須システム情報）に提供される。他の実施形態で、ＳＩリクエストに対する確認応答はＵＥがＳＩリクエストを送信した後にＲＡＲをチェックするか、ＵＥがＭＳＩでインディケーションをチェックする時に行われる。
【０１８２】
図１７は、本開示の実施形態によって一つ以上の周期内で時間ウィンドウをモニタリングすることによってシステム情報を提供する方法を示す
図１７を参照すれば、ＳＩリクエストを送信した後、リクエストされたＳＩＢを受信するため、ＵＥはそのＳＩＢの一つ以上のＳＩ周期でリクエストされたＳＩＢのＳＩウィンドウをモニタリングする。他のＳＩに対するスケジューリング情報は「その他の」ＳＩが周期的にブロードキャスティングされるか、又はオンデマンドに提供されるかに関わらずＳＩＢタイプ、妥当性情報、周期性、最小ＳＩでのＳＩウィンドウ情報を含む。
【０１８３】
一実施形態で、ＳＩリクエストに対する確認応答はＵＥがＳＩリクエストを送信した後にＲＡＲをチェックするか、ＵＥがＭＳＩでインディケーションをチェックする時に行われる。
【０１８４】
ＳＩ再獲得の最小化
【０１８５】
マクロセルのカバレージには幾つかの小さいセルがあり得る。現在システム情報はセル特有（ｓｐｅｃｉｆｉｃ）である。現在各々のセル（小さいセル及びマクロセル）は自分のシステム情報を送信する。本開示の実施形態で、第１セル（例えば、マクロセル）は一つ以上の第２セル（例えば、小さいセル）に関する情報を提供する。
【０１８６】
多くのシステム情報パラメータは多くのセルにかけて同一の値を持つことができる。従って、実施形態で、システム情報パラメータは、セル特有情報及び非セル（ｎｏｎ−ｃｅｌｌ）特有情報で分類できる。非セル特有情報、即ち、一つ以上の第２セル（例えば、小さいセル）にかけて共通値を持つシステム情報は第１セル（例えば、マクロセル）によってブロードキャスティングされたシグナリング又は専用シグナリングを用いてシグナリングできるか、又はオンデマンドに提供できる。セル特有情報は各々のセルによってシグナリングされる。
【０１８７】
実施形態で、第１セルはブロードキャスティングされたシグナリング又は専用シグナリングを用いて多くのシステム情報セットをシグナリングできる。一実施形態で、このようなセットの各々は第１セルによってシグナリングされる手順にインデクシングされる。第２セルは（ブロードキャスティングされたシグナリング又は専用シグナリングを用いて）第１セルによってシグナリングされた多数のセットのうちの、どのシステム情報セットがこのセル（即ち、自分）に適用可能であるかを示すことができる。代案的な実施形態で、第１セルは各々のセットと共にセルのセルＩＤリストを示し、ここで、セルＩＤは該、各々のセットが適用可能なセルを識別する。
【０１８８】
実施形態で、セル特有システム情報は次のように獲得される。
【０１８９】
オプション１：ＵＥはマクロセルから獲得する。
【０１９０】
１ａ：マクロセルはブロードキャストシグナリングを用いてこの情報をブロードキャスティングする。
【０１９１】
１ｂ：マクロセルは専用シグナリングを用いてこの情報を提供する。
【０１９２】
マクロセルはこの情報をどのように提供するかを、ブロードキャストシグナリングを用いて示す。
【０１９３】
マクロセルは更に、この情報がブロードキャスティングされない場合に専用シグナリングでこの情報を提供するかを示す。
【０１９４】
上述したオンデマンド・シグナリングは更にマクロセルからこの情報をリクエストするのに用いられ得る。
【０１９５】
オプション２：ＵＥはセルから直接獲得する
【０１９６】
マクロセルがこの情報を提供しない場合は、ＵＥはセルから直接この情報を獲得する。
【０１９７】
小さいセルはこの情報をブロードキャスティングできる。
【０１９８】
上述したようにオンデマンド・シグナリングはセルからこの情報をリクエストするのに用いられ得る。
【０１９９】
上述した方法で、周期的ブロードキャストから受信されるか、又は、セルから前述されたオンデマンドＳＩリクエスト手続きを用いて得られたシステム情報は、一つ以上のセルにより使用できる。受信されたシステム情報を使用できるセルは、システム情報を周期的ブロードキャストから獲得したか、又は、オンデマンドＳＩリクエスト手続きを用いて獲得した上述のセルによって示され得る。
ＵＥは、更に周期的ブロードキャストから又はオンデマンドＳＩリクエスト手続きを用いて多数のセルからシステム情報を受信できる。結果的に、ＵＥはＵＥがセルを変更する時のシステム情報をリクエストする、乃至は再獲得する必要がない。セルが変更された後に、ＵＥが新しいセルに対するシステム情報を有しないと、ＵＥはシステム情報を再獲得するか、又はリクエストする。
【０２００】
図１８は、本開示の実施形態によるシステム情報領域ＩＤを設定する方法を示す。
図１８を参照すれば、代案的な実施形態で、システム情報領域概念が定義される。システム情報領域は、使用されるシステム情報が同一である、一つ以上のセルをカバーする領域、或いは送信地点又は送受信地点を指称する。システム情報領域はシステム情報領域識別子によって識別される。セル或いは送信地点又は送受信地点はシステム情報領域識別子をブロードキャスティングする。
【０２０１】
ＵＥが一つのセルから他のセルに移動する時、該ＵＥはＳＩ領域ＩＤをチェックする。ＳＩ領域ＩＤの変更があれば、ＵＥはシステム情報を再獲得する。例えば、図１８に示されたように、ＵＥがセル１からセル３に移動すれば、システム情報を再獲得する必要がない。ＵＥがセル１からセル８に移動すれば、システム情報を再獲得する必要がある。
【０２０２】
本開示の実施形態で、システム情報領域（即ち、ＳＩ領域ＩＤ）は相異するＳＩ（又はＳＩＢ）に対して相異する。本開示の実施形態で、システム情報領域（即ち、ＳＩ領域ＩＤ）は相異するＳＩセット（ＳＩＢ）に対して相異する。本開示の実施形態で、複数のＳＩ（又はＳＩＢ）に対して一つのシステム情報領域（即ち、ＳＩ領域ＩＤ）が存在できる。本開示の実施形態で、幾つかのＳＩは特定のセルに特有で、その場合ＳＩ領域ＩＤはこれら（該幾つかのＳＩ）と連関されない。
【０２０３】
本開示の実施形態で、一つのＳＩ領域内において、連関されたＳＩの相異するバージョンが用いられることができる。このようなバージョンの各々はインデックス又は値タグによって識別される。ＳＩＢＸに対するＳＩ領域が図１８に示されているとしよう。Ｃｅｌｌ１、Ｃｅｌｌ２及びＣｅｌｌ３はＳＩＢｘの設定を用いる。Ｃｅｌｌ１、Ｃｅｌｌ２及びＣｅｌｌ３はＳＩＢｘに対してＳＩ領域ＩＤが１で、インデックス／値タグがＰであることをブロードキャスティングする。Ｃｅｌｌ１、Ｃｅｌｌ２及びＣｅｌｌ３がＳＩＢｘに対して相異する設定を用いることを望む場合にはＳＩＢｘに対してＳＩ領域ＩＤが１であり、インデックス／値タグがＱであることをブロードキャスティングする。同一のＳＩ領域内にインデックス又は値タグの変更があって、ＵＥがそのＳＩ領域の新しいインデックス／値タグに対応する有効なＳＩ設定を有しないと、ＵＥは該当するＳＩを再獲得する。インデックス／値タグによって識別されるＳＩ設定は獲得されるＳＩ領域で有効である。他のＳＩ領域では有効ではない。インデックス／値タグの有効範囲はＳＩ領域内にある。例えば、ＳＩ領域ＩＤ１でインデックス／値タグＰによって識別されるＳＩＢｘの設定はＳＩ領域ＩＤ２又はＳＩ領域ＩＤ３でインデックス／値タグＰによって識別されるＳＩＢｘの設定と同じではない。従来技術では値タグの有効範囲が一つのセルであった点が注目されなければならない。本開示のこの方法では、値タグの範囲はＳＩ領域、即ち、多数のセルである。
【０２０４】
図１９は、本開示の実施形態によってシステム情報パラメータをインデクシングする方法を示す。
図１９を参照すれば、本開示の実施形態で、ＢＳはシステム情報パラメータに対する多数の設定値セットをサポートできる。例えば、ＳＩがパラメータＰ、Ｑ、及びＲを含むとしよう。ここで、パラメータＰが値Ｐ０、Ｐ１を持ち、パラメータＱが値Ｑ０、Ｑ１、Ｑ２を持ち、パラメータＲが値Ｒ０、Ｒ１を持ち得る、とする。このようなパラメータに対しては、２＊３＊２＝１２個の可能な設定があり得、ここで、各々の設定は他の設定と相異する少なくとも一つのパラメータの値を持つ。このような設定の各々にはインデックスが与えられる。パラメータと値を（ブロードキャストシグナリング又は専用シグナリングのうちの何れか１つを介して）シグナリングする代りに、インデックスがシグナリングされることができる。例えば、設定０：［Ｐ−＞Ｐ０、Ｑ−＞Ｑ０、Ｒ−＞Ｒ０］、設定１：［Ｐ−＞Ｐ０、Ｑ−＞Ｑ１、Ｒ−＞Ｒ０］、等々。
【０２０５】
パラメータＡ、Ｂ及びＣを持つＳＩに対し、可能な設定セットは図１９に示される。例で、パラメータＡは２個の可能な値Ａ０及びＡ１を持ち、パラメータＢは２個の可能な値Ｂ０及びＢ１を持ち、パラメータＣは２個の可能な値Ｃ０及びＣ１を持つ。各々のパラメータは相異する数の値を持ち得ることを注目する。ツリー（ｔｒｅｅ）の上部から下部までの各々の経路（図１９）は一つの有効な設定である。このような設定は図１９に示されたように順次に番号ｎ（ｎ＝０、１、・・・）のインデックスＩｄｘｎが付けられる。８個の可能な設定は次のとおりである。
【０２０６】
Ｉｄｘ０：｛Ａ０、Ｂ０、Ｃ０｝、Ｉｄｘ１：｛Ａ０、Ｂ０、Ｃ１｝、Ｉｄｘ２：｛Ａ０、Ｂ１、Ｃ０｝、Ｉｄｘ３：｛Ａ０、Ｂ１、Ｃ１｝、Ｉｄｘ４：｛Ａ１、Ｂ０、Ｃ０｝、Ｉｄｘ５：｛Ａ１、Ｂ０、Ｃ１｝、Ｉｄｘ６：｛Ａ１、Ｂ１、Ｃ０｝、Ｉｄｘ７：｛Ａ１、Ｂ１、Ｃ１｝。
ｉｄｘ＝｛パラメータＡの値のインデックス＊（Ｂの値の数＊Ｃの値の数）｝  ＋  ｛パラメータＢの値のインデックス＊（Ｃの値の数）｝  ＋  パラメータＣの値のインデックス。
設定でパラメータのスキッピング（ｓｋｉｐｐｉｎｇ）を許容するため、スキッピングは付加的な値として見なされることができる。例えば、パラメータＡがスキッピングされることができれば、パラメータＡは３個の値Ａ０、Ａ１、ｓｋｉｐを持つ。Ａ０値はインデックス０を持ち、Ａ１値はインデックス１を持ち、ｓｋｉｐ値はインデックス２を持つ。
【０２０７】
各々のＳＩパラメータの可能な値が知られ、インデックスが与えられると、当該インデックスに対応する設定が知られる。ＳＩは多様な部分／グループなどにより分類され、ここで、各々の部分又はグループは自分の設定インデックスを持つ。各々のＳＩ部分又はＳＩグループは幾つかの設定を有し、各々の設定は上述したようなインデックスを用いて示される。例えば、２個のＳＩ部分、ＳＩ部分１とＳＩ部分２がある、としよう。ＳＩ部分１は３個のパラメータＡ、Ｂ、Ｃを持ち、ＳＩ部分２は２個のパラメータＰ、Ｑを持つ。その場合、ＳＩ部分１設定とＳＩ部分２設定は自分の設定インデックスを用いて独立的に示される。
【０２０８】
設定インデックスは専用シグナリングを用いてブロードキャスティングされるか、又はシグナリングされる。ＳＩがオンデマンドにリクエストされると、応答において、設定インデックスが設定全体の代わりにシグナリングされる。代案で、ＳＩに対する設定インデックスはブロードキャスティングされる。
ＵＥがブロードキャスティングされたインデックスに基づいた設定を分からない場合には、ＳＩリクエストを用いてインデックスを送信することによってインデックスに対応する設定を提供するようにＢＳ／ｅＮＢ／ＴＲＰに対してリクエストする。
ＵＥは、Ｃｅｌｌ／ＢＳ／ｅＮＢ／ＴＲＰでサポートされるパラメータの値が分からない場合には、インデックスに基づいた設定が分からないことがある。例えば、パラメータＡが、値Ａ０、Ａ１、Ａ２、及びＡ３を持つ、とする。ここで、値Ａ０、Ａ１はセル１でサポートされる一方、値Ａ２、Ａ３、Ａ１は他のセル２でサポートされる。ＵＥは、ブロードキャスティングされたインデックスに基づく設定が分からない場合には、ＳＩリクエストを用いて、Ｃｅｌｌ／ＢＳ／ｅＮＢ／ＴＲＰにおいてサポートされたＳＩのパラメータの値を提供するようにＢＳ／ｅＮＢ／ＴＲＰに対してリクエストする。Ｃｅｌｌ／ＢＳ／ｅＮＢ／ＴＲＰにおいてサポートされたＳＩのパラメータの値が知られると、ＵＥはブロードキャストインデックスに対応する設定を決定できる。ＳＩリクエスト／応答は上述した方法を用いてシグナリングされる。
【０２０９】
ＳＩのパラメータのサポートされた値はネットワーク全体で同一であるか、又は、セル／ＴＲＰに特有である。ＳＩ部分／グループのパラメータのサポートされた値はネットワーク全体で同一であるが、他のＳＩ部分／グループに対してはセル／ＴＲＰに特有である。
【０２１０】
他の実施形態で、図１９に示されたようなインデクシングの代りに、ネットワーク又はセル／ＴＲＰ／ｅＮＢは、ＳＩ又はＳＩ部分又はＳＩグループに対する数個の設定を維持し、各々の設定に個別のインデックス／識別子を割り当てる。ネットワークは各々のＳＩ又はＳＩ部分／グループに対するブロードキャストシグナリングによりインデックス／識別子を示す。ＵＥは先ずブロードキャストシグナリングを受信し、ＳＩ又はＳＩ部分／グループに対するインデックス／識別子を得る。ＵＥが該インデックス／識別子に対応する設定を有しないと、ＵＥは上述したオンデマンド・シグナリングを用いてインデックス／識別子に対応する設定をリクエストする。インデックス／識別子はリクエストに含まれる場合がある。
ＵＥがインデックス／識別子に対応する有効な設定を有する場合、ＵＥはこれを用い、リクエストする必要がない。一実施形態で、このようなインデックス／識別子はＳＩグループのＳＩ又はＳＩ部分に対するセル又はＴＲＰ又はｅＮＢにかけて有効であれば良い。他の実施形態で、このようなインデックス／識別子はＳＩグループのＳＩ又はＳＩ部分に対して同一セルのＴＲＰにかけて有効であれば良い。ＳＩ又はＳＩ部分又はＳＩグループに対するインデックス／識別子がセル又はＴＲＰ又はｅＮＢなどにかけて有効であるかは、ブロードキャストシグナリングにおいて事前定義されるか、又は示される。ＵＥは規定のライフタイムの間、インデックス／識別子に対応する設定を記憶することができる。
【０２１１】
図２０は、本開示の実施形態によってシステム情報設定ＩＤを設定する方法を示す。
図２０を参照すれば、ＵＥが一つのセルから他のセルに移動する時、ＳＩＢに対するインデックスが変更され、そのセルで用いられるインデックスに対応する設定を有しないと、ＵＥはＳＩを再獲得し、そうではなければＳＩを再獲得しない。ＳＩＢ＿ＸネットワークがインデックスＸ、Ｙ、Ｚによって識別された３個の設定を用いる、としよう。ＵＥがセル１からセル３に移動すれば、２つのセルが何れも同一設定を用いているので、ＳＩＢｘを再獲得する必要がない。ＵＥがセル１からセル２に移動すれば、インデックスｘに対応する記憶された設定を持たない場合にＳＩＢｘを再獲得しなければならない。以前の方法と異なり、インデックスの範囲はＳＩ領域の代わりに全体ネットワークである。インデックスは更に値タグとして命名されることができ、ここで、値タグの範囲は一つのセル代りに全体ネットワークである。
【０２１２】
システム情報アップデート手続き
【０２１３】
ＵＥは、次の方式のうちの一つによりシステム情報アップデートに関して通知される。
【０２１４】
オプション１
【０２１５】
システム情報は多様な部分／グループ／セットに分類される。ＢＳはＢＳがサポートする単数又は複数のシステム情報セットをブロードキャスティングする。ＢＳは更に該サポート中のシステム情報セット／部分／グループの各々に対する値タグ／識別子／設定インデックスをブロードキャスティングする。システム情報セットに対応する値タグ／識別子／設定インデックスの変更はシステム情報セット／グループ／部分がアップデートされることを示す。付加的に、ＢＳは更にサービスのシステム情報の各々に対する変更通知をブロードキャスティングする。
【０２１６】
ＢＳはサポート中のサービスをブロードキャスティングする。ＢＳは更にサポートされた各々のサービスに対する値タグ／識別子／設定インデックスをブロードキャスティングする。サービスに対応する値タグ／識別子／設定インデックスの変更は当該サービスに対するシステム情報のアップデートを示す。付加的に、ＢＳは更にサービスのシステム情報の各々に対する変更通知をブロードキャスティングする。
【０２１７】
オプション２
【０２１８】
サポート中の各々のシステム情報セット又はサービスに対する変更通知はページングメッセージに示される。アップデートされたシステム情報と連関された値タグ／識別子／設定インデックスは更にページングメッセージに示される。
【０２１９】
オプション３
【０２２０】
変更通知はＳＩアップデートメッセージを用いて示される。
【０２２１】
各々のＳＩアップデートメッセージはＳＩのグループに対する通知を示す。
グループに特有のＲＮＴＩは、ＳＩアップデートメッセージをスケジューリングするのに用いられる。
【０２２２】
ＳＩアップデートメッセージはＲＲＣメッセージ又はＰＤＣＣＨでシグナリングされたＤＣＩであり得る。
【０２２３】
アップデートされた情報獲得
【０２２４】
ＵＥはアップデートインディケーションが以前に説明された方法（即ち、ブロードキャスト又はオンデマンド）を用いて受信された場合に、アップデートされたシステム情報セット又はサービスに特有のシステム情報をリクエストする。変更されたシステム情報セットがブロードキャスティングされた情報の一部であれば、ＵＥはブロードキャストからアップデートされたシステム情報を獲得する。変更されたシステム情報セットがオンデマンドにシステム情報の一部であれば、ＵＥはオンデマンド・シグナリングを用いてアップデートされたシステム情報を獲得する。
【０２２５】
Ａｌｔ：ネットワーク（ＮＷ）は規定の期間の間のアップデートされた情報をブロードキャスティング。ＵＥはブロードキャスティングされた情報を判読する。
【０２２６】
実施形態で、値タグ／識別子／設定インデックスは、システム情報セット／グループ／部分が変更されることを示す。他の実施形態で、値タグ／識別子／設定インデックスはシステム情報セット／グループ／部分の特有設定を識別する。ネットワークがシステム情報セット／グループ／部分識別子をシグナリングし、ＵＥがこのような識別子に対応する設定を有しない時、ＵＥはシステム情報をアップデートする。一実施形態で、このＳＩセット／部分／グループの各々は同一のパラメータを含むが、相異する領域で有効であり得る。
【０２２７】
本開示はこの多様な実施形態を参照して図示されて説明されたが、通常の技術者は添付された請求項及びこの等価物により定義されたように本開示の思想及び範囲を逸脱せず形態及び詳細事項での多様な変更が成ることができるということを理解するだろう。
【産業上の利用可能性】
【０２２８】
本開示のＩｏＴ（Ｉｎｔｅｒｎｅｔ  ｏｆ  Ｔｈｉｎｇｓ）技術を用いた、第４世代（４Ｇ）システムより高いデータ速度をサポートする第５世代（５Ｇ）無線通信システムを融合する通信方法及びシステムは、スマートホーム、スマートビルディング、スマートシティ、スマートカー、コネクテッドカー、ヘルスケア、デジタル教育、スマート小売り、保安及び安全（セキュリティ）サービスなどの５Ｇ通信技術及びＩｏＴ関連技術に基づいた知能型サービスに適用できる。
【符号の説明】
【０２２９】
ＢＳ      基地局
ＭＳＩ      モバイル加入者識別、ｍｏｂｉｌｅ  ｓｕｂｓｃｒｉｂｅｒ  ｉｄｅｎｔｉｔｙ
ＰＲＡＣＨ      物理的ランダムアクセスチャネル、ｐｈｙｓｉｃａｌ  ｒａｎｄｏｍ  ａｃｃｅｓｓ  ｃｈａｎｎｅｌ
ＰＳＳ／ＳＳＳ      ５Ｇ同期化信号
ＲＡＲ      無線アクセス応答、ｒａｎｄｏｍ  ａｃｃｅｓｓ  ｒｅｓｐｏｎｓｅ
ＲＲＣ      無線リソ−ス制御、ｒａｄｉｏ  ｒｅｓｏｕｒｃｅ  ｃｏｎｔｒｏｌ
ＳＩ      システム情報
ＳＩＢ      システム情報ブロック、ｓｙｓｔｅｍ  ｉｎｆｏｒｍａｔｉｏｎ  ｂｌｏｃｋ
ＵＥ      ユーザ装置
【図１】
2019511166.tif 000004
【図２】
2019511166.tif 000005
【図３】
2019511166.tif 000006
【図４】
2019511166.tif 000007
【図５】
2019511166.tif 000008
【図６】
2019511166.tif 000009
【図７】
2019511166.tif 000010
【図８】
2019511166.tif 000011
【図９】
2019511166.tif 000012
【図１０】
2019511166.tif 000013
【図１１】
2019511166.tif 000014
【図１２】
2019511166.tif 000015
【図１３】
2019511166.tif 000016
【図１４】
2019511166.tif 000017
【図１５】
2019511166.tif 000018
【図１６】
2019511166.tif 000019
【図１７】
2019511166.tif 000020
【図１８】
2019511166.tif 000021
【図１９】
2019511166.tif 000022
【図２０】
2019511166.tif 000023
【国際調査報告】
2019511166.tif 000024
2019511166.tif 000025